(57)【特許請求の範囲】
【請求項１】
選択された同期信号／物理ブロードキャストチャネルブロック又は選択されたチャネル状態情報基準信号に基づいてパスロスを推定することで、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）の送信電力を決定する制御部と、
決定された前記送信電力で物理ランダムアクセスチャネルを介してプリアンブルを送信する送信機と、を含み、
前記制御部は、第１パラメータにより設定される電力オフセット及びパワーランピングカウンタに基づいて取得されたプリアンブル受信目標電力に従って前記送信電力を計算し、
前記第１パラメータはサブキャリア間隔を含む、ランダムアクセス送信装置。
【請求項２】
前記制御部は、基準信号のダウンリンク送信電力及び受信電力（ＲＳＲＰ）の測定値を用いて前記パスロスを計算する、請求項１に記載のランダムアクセス送信装置。
【請求項３】
前記制御部は、第１送信電力及び第２送信電力のうちの小さいものを前記送信電力として決定し、
前記第１送信電力は、最大送信電力に基づくものであり、
前記第２送信電力は、受信目標電力及び推定されたパスロスに基づくものである、請求項１に記載のランダムアクセス送信装置。
【請求項４】
前記制御部は、同期信号／物理ブロードキャストチャネルブロックを再選択し、且つ第２所定条件が満たされた場合、パワーランピングカウンタを設定する、請求項１に記載のランダムアクセス送信装置。
【請求項５】
前記制御部は、ランダムアクセスを実行するための複数の物理ランダムアクセスチャネル（ＰＲＡＣＨ）リソースセットから前記物理ランダムアクセスチャネルを選択する、請求項１に記載のランダムアクセス送信装置。
【請求項６】
選択された同期信号／物理ブロードキャストチャネルブロック又は選択されたチャネル状態情報基準信号に基づいてパスロスを推定することで、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）の送信電力を決定するステップと、
決定された前記送信電力で物理ランダムアクセスチャネルを介してプリアンブルを送信するステップと、を含み、
前記決定するステップは、第１パラメータにより設定される電力オフセット及びパワーランピングカウンタに基づいて取得されたプリアンブル受信目標電力に従って前記送信電力を計算し、
前記第１パラメータはサブキャリア間隔を含む、ランダムアクセス送信方法。
【請求項７】
選択された同期信号／物理ブロードキャストチャネルブロック又は選択されたチャネル状態情報基準信号に基づいてパスロスを推定することで、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）の送信電力を決定し、決定された前記送信電力で物理ランダムアクセスチャネルを介してプリアンブルを送信し、前記決定は第１パラメータにより設定される電力オフセット及びパワーランピングカウンタに基づいて取得されたプリアンブル受信目標電力に従って前記送信電力を計算し、前記第１パラメータはサブキャリア間隔を含む端末と、
決定された前記送信電力で送信された物理ランダムアクセスチャネルを介して前記プリアンブルを受信する基地局と、を含む、通信システム。
【請求項８】
前記同期信号／物理ブロードキャストチャネル（ＳＳ／ＰＢＣＨ）ブロックを送信するための位置を示す指示情報を受信する受信機、をさらに含む、請求項１に記載のランダムアクセス送信装置。
【請求項９】
前記受信機は、システム情報（ＳＩ）又は無線リソース制御（ＲＲＣ）シグナリングを介して前記指示情報を受信する、請求項８に記載のランダムアクセス送信装置。
【請求項１０】
前記プリアンブルのサブキャリアに関連するパラメータの値は、サブキャリア間隔（ＳＣＳ）の値の増加に伴って増加し、
サブキャリア間隔の値は１５の倍数である、請求項１に記載のランダムアクセス送信装置。
【請求項１１】
基準信号のダウンリンク送信電力及び受信電力（ＲＳＲＰ）の測定値を用いて前記パスロスを計算するステップ、をさらに含む、請求項６に記載のランダムアクセス送信方法。
【請求項１２】
第１送信電力及び第２送信電力のうちの小さいものを前記送信電力として決定するステップ、をさらに含み、
前記第１送信電力は、最大送信電力に基づくものであり、
前記第２送信電力は、受信目標電力及び推定されたパスロスに基づくものである、請求項６に記載のランダムアクセス送信方法。
【請求項１３】
前記同期信号／物理ブロードキャストチャネル（ＳＳ／ＰＢＣＨ）ブロックを送信するための位置を示す指示情報を受信するステップ、をさらに含む、請求項６に記載のランダムアクセス送信方法。
【請求項１４】
前記指示情報は、システム情報（ＳＩ）又は無線リソース制御（ＲＲＣ）シグナリングを介して受信される、請求項１３に記載のランダムアクセス送信方法。
【発明の詳細な説明】
【技術分野】
【０００１】
本発明は、通信分野に関し、特にランダムアクセスの電力制御装置、方法及び通信システムに関する。
【背景技術】
【０００２】
ロングタームエボリューション（ＬＴＥ：Ｌｏｎｇ  Ｔｅｒｍ  Ｅｖｏｌｕｔｉｏｎ）システムでは、ユーザ装置（ＵＥ：Ｕｓｅｒ  Ｅｑｕｉｐｍｅｎｔ）が単一のランダムアクセスプロセス（Ｒａｎｄｏｍ  Ａｃｃｅｓｓ  Ｐｒｏｃｅｓｓ）の試行を同時に行い、該ランダムアクセスの試行に失敗したと確認した後にのみ、他のランダムアクセスプロセスを開始してアクセス試行を再度行う。
【０００３】
競合ベースのランダムアクセス手順（Ｃｏｎｔｅｎｔｉｏｎ  ｂａｓｅｄ  ｒａｎｄｏｍ  ａｃｃｅｓｓ  ｐｒｏｃｅｄｕｒｅ）では、ユーザ装置はプリアンブル（Ｐｒｅａｍｂｌｅ）をランダムに選択し、物理ランダムアクセスチャネル（Ｐｈｙｓｉｃａｌ  Ｒａｎｄｏｍ  Ｃｈａｎｎｅｌ、ＰＲＡＣＨと略称される）で送信する。非競合ベースのランダムアクセス手順では、基地局は、ユーザ装置が特定のプリアンブルを使用するようにユーザ装置に指示し、ＵＥが特定のＰＲＡＣＨ時間周波数リソースを使用するようにＵＥに指示し、或いはＵＥが自ら時間周波数リソースを選択するようにＵＥに指示する。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
ＬＴＥでは、以下の式（１）を用いてプリアンブルの送信電力を計算してもよい。
【０００６】
ＰＰＲＡＣＨ＝ｍｉｎ｛ＰＣＭＡＸ，ｃ（ｉ），ＰＲＥＡＭＢＬＥ＿ＲＥＣＥＩＶＥＤ＿ＴＡＲＧＥＴ＿ＰＯＷＥＲ＋ＰＬｃ｝［ｄＢｍ］            （１）
ここで、ＰＣＭＡＸ，ｃ（ｉ）はセルｃにおけるＵＥのサブフレームｉに対する最大送信電力であり、ＰＬｃはＵＥにより推定されたセルｃのダウンリンクのパスロスであり、ＰＲＥＡＭＢＬＥ＿ＲＥＣＥＩＶＥＤ＿ＴＡＲＧＥＴ＿ＰＯＷＥＲはプリアンブル受信目標電力であり、以下の式（２）で表される。
【０００７】
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｔｅｐ            （２）
ここで、ＤＥＬＴＡ＿ＰＲＥＡＭＢＬＥは、プリアンブルのフォーマットに基づいて予め定義された電力オフセットである。ｐｒｅａｍｂｌｅＩｎｉｔｉａｌＲｅｃｅｉｖｅｄＴａｒｇｅｔＰｏｗｅｒ及びｐｏｗｅｒＲａｍｐｉｎｇＳｔｅｐは、それぞれセルにより構成されたプリアンブルについての初期目標受信電力及びパワーランピングステップである。ＰＲＥＡＭＢＬＥ＿ＴＲＡＮＳＭＩＳＳＩＯＮ＿ＣＯＵＮＴＥＲは、プリアンブル送信カウンタ値であり、その初期値は１であり、ランダムアクセスの試行に１回失敗した場合、ＵＥが１回のランダムアクセスの試行を再開する度に該カウンタ値を１ずつ加算し、１を加算した値がセルにより構成された最大送信回数よりも大きくなる場合、ＵＥは上位層にランダムアクセス問題を報告し、ＵＥはセルの再選択を行ってもよい。
【０００８】
ＬＴＥでは、ランダムアクセスの通信シナリオが比較的に単純であり、プリアンブルの送信電力を決定する際に考慮される要因が比較的に少ない。
【０００９】
しかし、本発明の発明者の発見によると、５Ｇ、新無線（ＮＲ：Ｎｅｗ  Ｒａｄｉｏ）システムなどの将来の無線通信システムでは、ランダムアクセスの通信シナリオがより複雑になり、ＵＥのランダムアクセス手順に失敗したことを引き起こし得る不確定な要因が多くなる。依然として従来のメカニズムを用いてｐｒｅａｍｂｌｅの送信電力を決定すると、複雑な通信シナリオの要求を満たすことは困難である。例えば、基地局が複数の同期信号／物理ブロードキャストチャネルブロック（ＳＳ／ＰＢＣＨ  ｂｌｏｃｋ）を送信するシナリオでは、異なるＳＳ／ＰＢＣＨ  ｂｌｏｃｋによりパスロスの差が生じているが、従来のｐｒｅａｍｂｌｅの送信電力の決定方法はこの差を考慮していないため、マルチビームのシナリオでのｐｒｅａｍｂｌｅの送信電力を正確に推定することは困難である。しかし、この問題を解決する方法がまだない。
【００１０】
従って、将来の無線通信における複雑な通信シナリオの要求を考慮し、本発明の実施例は、複雑なＵＥランダムアクセスシナリオに適応することができるランダムアクセス方法、装置及び通信システムを提供する。
【課題を解決するための手段】
【００１１】
本実施例の第１態様では、ランダムアクセスの電力制御装置であって、ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）に基づいて推定されたパスロスを用いて、前記ユーザ装置がランダムアクセスプリアンブルを送信する際に用いられる送信電力を計算する第１計算手段、を含む、装置を提供する。
【００１２】
本実施例の第２態様では、ランダムアクセスの電力制御方法であって、ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを用いて、前記ユーザ装置がランダムアクセスプリアンブルを送信する際に用いられる送信電力を計算するステップ、を含む、方法を提供する。
【００１３】
本実施例の第３態様では、ランダムアクセスの電力制御装置であって、第１パラメータを用いてプリアンブルの送信電力を計算する第２計算手段、を含み、前記第１パラメータは、前記ユーザ装置の単一の受信ビームにより受信されたシーケンスの数（Ｎ＿ｓｅｑ．ｂｅａｍ）、並びに／又はプリアンブルにより用いられる構成パラメータ若しくはサブキャリア帯域幅、並びに／又は前記ユーザ装置のタイプ、並びに／又は前記ユーザ装置の送信／受信ビームのゲインを含む、装置を提供する。
【００１４】
本実施例の第４態様では、ランダムアクセスの電力制御方法であって、第１パラメータを用いてプリアンブルの送信電力を計算するステップ、を含み、前記第１パラメータは、前記ユーザ装置の単一の受信ビームにより受信されたシーケンスの数（Ｎ＿ｓｅｑ．ｂｅａｍ）、並びに／又はプリアンブルにより用いられる構成パラメータ若しくはサブキャリア帯域幅、並びに／又は前記ユーザ装置のタイプ、並びに／又は前記ユーザ装置の送信／受信ビームのゲインを含む、方法を提供する。
【００１５】
本実施例の第５態様では、ユーザ装置を含む通信システムであって、前記ユーザ装置は、ユーザ装置により現在選択された同期信号／物理ブロードキャストチャネルブロック（ＳＳ／ＰＢＣＨ  ｂｌｏｃｋ）に基づいて推定されたパスロスを用いて、前記ユーザ装置がランダムアクセスプリアンブルを送信する際に用いられる送信電力を計算し、或いは、前記ユーザ装置は、前記第１パラメータを用いて前記送信電力を計算する、通信システムを提供する。
【００１６】
本発明の実施例の有益な効果としては、ユーザ装置がランダムアクセスプリアンブルを送信する際に用いられる送信電力を計算する際に、様々なパラメータの影響を考慮することで、複雑なシナリオでのＵＥランダムアクセス手順に適応することができる。
【００１７】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１８】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１９】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００２０】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００２１】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の実施例１のランダムアクセスの電力制御方法のフローチャートである。
【図２】本発明の実施例１のＵＥがランダムアクセス試行を行う方法を示す図である。
【図３】本発明の実施例２のランダムアクセスの電力制御方法のフローチャートである。
【図４】本発明の実施例３のランダムアクセスの電力制御装置を示す図である。
【図５】本発明の実施例４のランダムアクセスの電力制御装置を示す図である。
【図６】本発明の実施例５のユーザ装置を示す図である。
【図７Ａ】本発明の実施例６の通信システムを示す図である。
【図７Ｂ】本発明の実施例６の通信システムを示す他の図である。
【図８】本発明の実施例７の情報指示方法のフローチャートである。
【図９】本発明の実施例８の情報指示方法のフローチャートである。
【図１０】本発明の実施例９の情報指示装置を示す図である。
【図１１】本発明の実施例１０の情報指示装置を示す図である。
【図１２】本発明の実施例１１の通信システムを示す図である。
【図１３】本発明の実施例１１の基地局を示す図である。
【図１４】本発明の実施例１１のユーザ装置を示す図である。
【発明を実施するための形態】
【００２２】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２３】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２４】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２５】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２６】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２７】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２８】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２９】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。ユーザ装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３０】
そのうち、ユーザ装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３１】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３２】
本実施例では、ランダムアクセス手順は、競合ベースのランダムアクセス手順（Ｃｏｎｔｅｎｔｉｏｎ  ｂａｓｅｄ  ｒａｎｄｏｍ  ａｃｃｅｓｓ  ｐｒｏｃｅｄｕｒｅ）であってもよいし、非競合ベースのランダムアクセス手順（Ｎｏｎ−ｃｏｎｔｅｎｔｉｏｎ  ｂａｓｅｄ  ｒａｎｄｏｍ  ａｃｃｅｓｓ  ｐｒｏｃｅｄｕｒｅ）であってもよい。ここで、ネットワーク装置がＵＥのランダムアクセス手順を一意に識別できるか否かに応じて、ランダムアクセス手順は、競合ベースのランダムアクセス手順と非競合ベースのランダムアクセス手順に分けられる。
【００３３】
以下は図面を参照しながら本発明の実施例を説明する。
【００３４】
＜実施例１＞
本発明の実施例１はランダムアクセスの電力制御方法を提供し、該方法はネットワーク側へのランダムアクセス手順を開始する装置側、例えばユーザ装置（ＵＥ）側に適用される。
【００３５】
図１は本発明の実施例１のランダムアクセスの電力制御方法のフローチャートである。図１に示すように、該方法は以下のステップを含む。
【００３６】
ステップ１０１：ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを用いて、ユーザ装置がランダムアクセスプリアンブルを送信する際に用いられる送信電力を計算する。
【００３７】
本実施例では、プリアンブルの送信電力を計算する際に、ＵＥにより選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを考慮しているため、マルチビームなどの複雑なシナリオでのＵＥランダムアクセス手順に適応することができる。
【００３８】
本実施例では、基地局は、ビーム走査（ｂｅａｍ  ｓｗｅｅｐｉｎｇ）の方式で同期信号／物理ブロードキャストチャネルブロック（ＳＳ／ＰＢＣＨ  ｂｌｏｃｋ）を周期的に送信してもよく、該同期信号／物理ブロードキャストチャネルブロック（ＳＳ／ＰＢＣＨ  ｂｌｏｃｋ）は同期信号ブロック（ＳＳＢ：ｓｙｎｃｈｒｏｎｉｚａｔｉｏｎ  Ｓｉｇｎａｌ  ｂｌｏｃｋ）とも称される。基地局は、物理ランダムアクセスチャネルリソース／プリアンブルのセット（ＰＲＡＣＨ  ｒｅｓｏｕｒｃｅ／ｐｒｅａｍｂｌｅ  ｓｅｔ）を構成し、それを複数のサブセット（ｓｕｂｓｅｔ）に分割してもよく、異なるＳＳ／ＰＢＣＨ  ｂｌｏｃｋは異なる物理ランダムアクセスチャネルリソース／プリアンブルのセット（ＰＲＡＣＨ  ｒｅｓｏｕｒｃｅ／ｐｒｅａｍｂｌｅ  ｓｕｂｓｅｔ）に関連付けられている。ユーザ装置は、セル検索によりセル及び該セルにおけるＳＳ／ＰＢＣＨ  ｂｌｏｃｋを選択し、該ＳＳ／ＰＢＣＨ  ｂｌｏｃｋに関連付けられているＰＲＡＣＨ  ｒｅｓｏｕｒｃｅ／ｐｒｅａｍｂｌｅ  ｓｕｂｓｅｔを決定し、ＰＲＡＣＨ  ｒｅｓｏｕｒｃｅ／ｐｒｅａｍｂｌｅ  ｓｕｂｓｅｔからＰＲＡＣＨ  ｒｅｓｏｕｒｃｅ及びｐｒｅａｍｂｌｅを選択し、ＰＲＡＣＨ  ｒｅｓｏｕｒｃｅを用いてｐｒｅａｍｂｌｅを含むメッセージを送信してもよい。
【００３９】
本実施例では、ランダムアクセスの試行に失敗した場合、ＵＥはセルからＳＳ／ＰＢＣＨ  ｂｌｏｃｋを再選択し、新しいＰＲＡＣＨ  ｒｅｓｏｕｒｃｅ／ｐｒｅａｍｂｌｅ  ｓｕｂｓｅｔに切り替えてランダムアクセスの試行を行ってもよい。
【００４０】
本実施例では、ＵＥにより選択されたＳＳ／ＰＢＣＨ  ｂｌｏｃｋは変化する可能性があるため、ＵＥにより選択されたＳＳ／ＰＢＣＨ  ｂｌｏｃｋに基づいて推定されたパスロスに基づいて、ＳＳ／ＰＢＣＨ  ｂｌｏｃｋに対応するｐｒｅａｍｂｌｅの送信電力を正確に計算することができ、マルチビームなどの複雑なシナリオでのＵＥランダムアクセス手順に適応することができる。
【００４１】
本実施例では、以下の式（３）に従ってｐｒｅａｍｂｌｅの送信電力ＰＰＲＡＣＨを計算してもよい。
【００４２】
ＰＰＲＡＣＨ＝ｍｉｎ｛ＰＣＭＡＸ，ｃ，ＰＰＲＡＣＨ、ＳＳＢ｝［ｄＢｍ］            （３）
ここで、ＰＣＭＡＸ，ｃはＵＥのセルｃでの最大送信電力であり、ＰＰＲＡＣＨ、ＳＳＢはＵＥによりパワーランピングカウンタ、及びＳＳ／ＰＢＣＨ  ｂｌｏｃｋに基づいて推定されたパスロスなどに基づいて算出されたｐｒｅａｍｂｌｅを送信する際に必要な送信電力である。例えば、ＰＰＲＡＣＨ、ＳＳＢは以下の式（４）に従って取得されてもよい。
【００４３】
ＰＰＲＡＣＨ、ＳＳＢ＝ＰＲＥＡＭＢＬＥ＿ＲＥＣＥＩＶＥＤ＿ＴＡＲＧＥＴ＿ＰＯＷＥＲ＋ＰＬ１            （４）
ここで、ＰＬ１は少なくともＵＥにより選択されたＳＳ／ＰＢＣＨ  ｂｌｏｃｋに基づいて推定されたパスロスであり、ＰＲＥＡＭＢＬＥ＿ＲＥＣＥＩＶＥＤ＿ＴＡＲＧＥＴ＿ＰＯＷＥＲはプリアンブル受信目標電力を表し、パワーランピングカウンタに基づいて取得されてもよい。例えば、ＰＲＥＡＭＢＬＥ＿ＲＥＣＥＩＶＥＤ＿ＴＡＲＧＥＴ＿ＰＯＷＥＲは以下の式（５）に従って取得されてもよい。
【００４４】
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＯＷＥＲ＿ＲＡＭＰＩＮＧ＿ＣＯＵＮＴＥＲ−１）＊ｐｏｗｅｒＲａｍｐｉｎｇＳｔｅｐ            （５）
ここで、ｐｒｅａｍｂｌｅＩｎｉｔｉａｌＲｅｃｅｉｖｅｄＴａｒｇｅｔＰｏｗｅｒ及びｐｏｗｅｒＲａｍｐｉｎｇＳｔｅｐは、それぞれセルにより構成されたプリアンブルについての初期目標受信電力及びパワーランピングステップである。ＤＥＬＴＡ＿ＰＲＥＡＭＢＬＥは、プリアンブルフォーマット（Ｐｒｅａｍｂｌｅ  Ｆｏｒｍａｔ）に基づいて予め定義された電力オフセットである。ＰＯＷＥＲ＿ＲＡＭＰＩＮＧ＿ＣＯＵＮＴＥＲは、パワーランピングカウンタを表す。
【００４５】
本実施例では、パワーランピングカウンタの初期値は１であってもよく、ＵＥが１回のランダムアクセスの試行を再開する度にパワーランピングカウンタを１ずつ加算してもよい。
【００４６】
本実施例では、ＵＥが１回のランダムアクセスの試行を再開する度にプリアンブル送信カウンタＰＲＥＡＭＢＬＥ＿ＴＲＡＮＳＭＩＳＳＩＯＮ＿ＣＯＵＮＴＥＲを１ずつ加算してもよい。
【００４７】
本実施例では、パワーランピングカウンタＰＯＷＥＲ＿ＲＡＭＰＩＮＧ＿ＣＯＵＮＴＥＲは、プリアンブル送信カウンタＰＲＥＡＭＢＬＥ＿ＴＲＡＮＳＭＩＳＳＩＯＮ＿ＣＯＵＮＴＥＲと等しくてもよいし、等しくなくてもよい。
【００４８】
本実施例では、該プリアンブル送信カウンタに１を加算した後の値がセルにより構成された最大送信回数よりも大きくなる場合、ＵＥは上位層に第１ランダムアクセス問題を報告し、ＵＥはセルの再選択を行ってもよい。
【００４９】
本実施例では、ＵＥの具体的な実現方式に基づいてＰＬ１を計算してもよく、例えば、ＵＥにより現在選択されたＳＳ／ＰＢＣＨ  ｂｌｏｃｋに対応するＵＥ受信電力の測定値（ＲＳＲＰ１）に基づいて対応するＰＬ１を計算してもよく、例えば以下の式（４−１）に従ってＰＬ１を計算してもよい。
【００５０】
ＰＬ１＝基地局送信電力−ＵＥ受信電力（ＲＳＲＰ１）            （４−１）
本実施例では、ＵＥのランダムアクセス手順の別の可能な状況は以下のようになる。接続モード（ＣＯＮＮＥＣＴＥＤ  ｍｏｄｅ）のＵＥについて、測定のためのチャネル状態情報基準信号（ＣＳＩ−ＲＳ）を構成してもよく、異なるＣＳＩ−ＲＳは異なるビーム（ｂｅａｍ）に対応し、異なる物理ランダムアクセスチャネルリソース／プリアンブルのサブセット（ＰＲＡＣＨ  ｒｅｓｏｕｒｃｅ／ｐｒｅａｍｂｌｅ  ｓｅｔ）に関連付けられてもよく、ＵＥはチャネル状態情報基準信号（ＣＳＩ−ＲＳ）の測定結果に基づいてＣＳＩ−ＲＳに対応するＰＲＡＣＨ  ｒｅｓｏｕｒｃｅを選択してランダムアクセスを行ってもよい。
【００５１】
本実施例のステップ１０１において、ＵＥのために構成されたＣＳＩ−ＲＳに基づいて推定されたパスロスを用いて、ｐｒｅａｍｂｌｅの送信電力を計算してもよい。例えば、以下の式（４−２）に従って、ＰＰＲＡＣＨ，ＳＳＢを計算してもよい。
【００５２】
ＰＰＲＡＣＨ、ＳＳＢ＝ＰＲＥＡＭＢＬＥ＿ＲＥＣＥＩＶＥＤ＿ＴＡＲＧＥＴ＿ＰＯＷＥＲ＋ＰＬ２            （４−２）
ここで、ＰＬ２は、ＵＥのために構成されたＣＳＩ−ＲＳに基づいて推定されたパスロスである。
【００５３】
本実施例のステップ１０１では、ｐｒｅａｍｂｌｅの送信電力を計算する際に、ＰＬ１及びＰＬ２のうちの何れかを用いてもよいし、ＰＬ１及びＰＬ２を用いてＰＬ３を形成し、式（４）におけるＰＬ１をＰＬ３に置き換えてもよい。
【００５４】
本実施例では、図１に示すように、該方法は以下のステップをさらに含む。
【００５５】
ステップ１０２：報告されたユーザ装置により再選択された同期信号／物理ブロードキャストチャネルブロックに関連するランダムアクセス問題が取得された場合、パワーランピングカウンタ及び／又はパワーランピングステップを設定する。
【００５６】
本実施例では、報告されたユーザ装置により再選択された同期信号／物理ブロードキャストチャネルブロックに関連するランダムアクセス問題（即ち第２ランダムアクセス問題）が取得された場合、パワーランピングカウンタ及び／又はパワーランピングステップを設定することで、ＵＥがｐｒｅａｍｂｌｅを送信するための送信電力を制御することができ、再選択されたＳＳ／ＰＢＣＨ  ｂｌｏｃｋに対応するｐｒｅａｍｂｌｅを送信する際に高い送信電力の他のＵＥへの干渉を回避することができる。
【００５７】
本実施例では、ＵＥの上位層によりパワーランピングカウンタ及び／又はパワーランピングステップを設定してもよく、例えばパワーランピングカウンタ及び／又はパワーランピングステップを所定の値に再設定してもよく、例えばパワーランピングカウンタを０又は半分に設定してもよい。
【００５８】
本実施例では、ステップ１０２においてパワーランピングカウンタ及び／又はパワーランピングステップを設定した場合、後続のランダムアクセス試行において、ＵＥは該新たに設定されたパワーランピングカウンタ及び／又はパワーランピングステップに基づいてｐｒｅａｍｂｌｅを送信するための送信電力を計算することができるため、ｐｒｅａｍｂｌｅの送信電力を制御することができる。
【００５９】
本実施例では、図１に示すように、該方法は以下のステップを含む。
【００６０】
ステップ１０３：ユーザ装置が同期信号／物理ブロードキャストチャネルブロック（ＳＳ／ＰＢＣＨ  ｂｌｏｃｋ）を再選択した場合、該ユーザ装置により再選択された同期信号／物理ブロードキャストチャネルブロックに関連するランダムアクセス問題を報告する。
【００６１】
本実施例では、図１に示すように、該方法は以下のステップを含む。
【００６２】
ステップ１０４：ユーザ装置が同期信号／物理ブロードキャストチャネルブロック（ＳＳ／ＰＢＣＨ  ｂｌｏｃｋ）を再選択し、且つ第１所定条件が満たされた場合、該ユーザ装置により再選択された同期信号／物理ブロードキャストチャネルブロックに関連するランダムアクセス問題を報告する。
【００６３】
本実施例では、ステップ１０４に関する第１所定条件は、パワーランピングカウンタが第１閾値Ｎ＿ｔｈｒｅよりも大きいこと、及びパワーランピングカウンタ、及び再選択されたＳＳ／ＰＢＣＨ  ｂｌｏｃｋに基づいて推定されたパスロスに基づいてＵＥにより算出されたｐｒｅａｍｂｌｅの送信電力が第２閾値Ｐ＿ｔｈｒｅよりも大きいことのうち少なくとも１つの条件であってもよい。
【００６４】
本実施例のステップ１０３及び１０４において、ユーザ装置により再選択された同期信号／物理ブロードキャストチャネルブロックに関連するランダムアクセス問題（即ち第２ランダムアクセス問題）をユーザ装置の上位層に報告してもよく、ユーザ装置の上位層が該第２ランダムアクセス問題を受信した場合、パワーランピングカウンタ及び／又はパワーランピングステップを設定する。
【００６５】
本実施例では、図１に示すように、該方法は以下のステップをさらに含んでもよい。
【００６６】
ステップ１０２ａ：ユーザ装置が同期信号／物理ブロードキャストチャネルブロックを再選択した場合、又は該ユーザ装置が同期信号／物理ブロードキャストチャネルブロックを再選択し、且つ第２所定条件が満たされた場合、パワーランピングカウンタ及び／又はパワーランピングステップを設定する。
【００６７】
本実施例のステップ１０２ａにおいて、第２ランダムアクセス問題を報告することなく、パワーランピングカウンタ及び／又はパワーランピングステップを設定してもよい。例えば、パワーランピングカウンタ及び／又はパワーランピングステップを設定するためのユニットとカウントを行うユニットとがユーザ装置の同一の層に位置する場合、第２ランダムアクセス問題を報告することなく、パワーランピングカウンタ及び／又はパワーランピングステップを設定してもよい。
【００６８】
本実施例では、第２所定条件は、上記第１所定条件として列挙された条件の少なくとも１つであってもよい。
【００６９】
本実施例では、図１に示すように、該方法は以下のステップをさらに含む。
【００７０】
ステップ１０５：該ユーザ装置により現在選択された同期信号／物理ブロードキャストチャネルブロック（ＳＳ／ＰＢＣＨ  ｂｌｏｃｋ）に関連するパラメータが第３所定条件を満たし、且つ／或いは目標同期信号／物理ブロードキャストチャネルブロック（ＳＳ／ＰＢＣＨ  ｂｌｏｃｋ）に関連するパラメータが第４所定条件を満たした場合、該目標同期信号／物理ブロードキャストチャネルブロックを選択すると決定する。
【００７１】
これによって、ＵＥがランダムアクセス試行を再開することを決定する際に、ＳＳ／ＰＢＣＨ  ｂｌｏｃｋを再選択するか否かを判断してもよい。このため、ＳＳ／ＰＢＣＨ  ｂｌｏｃｋを頻繁に選択することを回避することができ、ＳＳ／ＰＢＣＨ  ｂｌｏｃｋ間のピンポン効果（ｐｉｎｇ−ｐｏｎｇ  ｅｆｆｅｃｔ）を回避することができる。
【００７２】
本実施例では、第３所定条件は、以下の条件のうちの任意の１つ又は２つ以上の組み合わせであってもよい。
【００７３】
（１）現在選択された同期信号／物理ブロードキャストチャネルブロックの受信電力が第３閾値よりも小さいこと
例えば、ＵＥは現在選択されたＳＳ／ＰＢＣＨ  ｂｌｏｃｋの受信電力ＲＳＲＰと第３閾値Ｘ［ｄＢｍ］とを比較してもよく、ＲＳＲＰ＜Ｘ［ｄＢｍ］の場合、ＵＥはＳＳ／ＰＢＣＨ  ｂｌｏｃｋを再選択し、そうでない場合、ＵＥはＳＳ／ＰＢＣＨ  ｂｌｏｃｋを再選択しない。
【００７４】
（２）現在選択された同期信号／物理ブロードキャストチャネルブロックに基づいて算出されたプリアンブルの送信電力ＰＰＲＡＣＨ，ＳＳＢとユーザ装置のセル内の最大送信電力ＰＣＭＡＸ，ｃとの差が第４閾値Ｚ［ｄＢ］よりも大きいこと
例えば、（ＰＰＲＡＣＨ，ＳＳＢ−ＰＣＭＡＸ，ｃ）＞Ｚ［ｄＢ］の場合、ＵＥはＳＳ／ＰＢＣＨ  ｂｌｏｃｋを再選択し、そうでない場合、ＵＥはＳＳ／ＰＢＣＨ  ｂｌｏｃｋを再選択しない。
【００７５】
（３）現在選択された同期信号／物理ブロードキャストチャネルブロックに基づいて算出されたプリアンブルの最大送信電力での送信の回数が第５閾値Ｎ以上であること
例えば、現在選択されたＳＳ／ＰＢＣＨ  ｂｌｏｃｋに基づいて算出されたプリアンブルの最大送信電力がＰｍａｘであると仮定し、ＵＥが該最大送信電力Ｐｍａｘを用いてｐｒｅａｍｂｌｅを送信した回数がＮ以上である場合、ＵＥは次のｐｒｅａｍｂｌｅを再送する際にＳＳ／ＰＢＣＨ  ｂｌｏｃｋを再選択し、そうでない場合、ＵＥはＳＳ／ＰＢＣＨ  ｂｌｏｃｋを再選択しない。
【００７６】
（４）現在選択された同期信号／物理ブロードキャストチャネルブロックに基づいてランダムアクセス試行を行う時間が第６閾値Ｔ［ｍｓ］以上であること
例えば、ＵＥが現在のＳＳ／ＰＢＣＨ  ｂｌｏｃｋに基づいてランダムアクセス試行を行う時間が第６閾値Ｔ［ｍｓ］以上である場合、ＳＳ／ＰＢＣＨ  ｂｌｏｃｋを再選択し、そうでない場合、ＵＥはＳＳ／ＰＢＣＨ  ｂｌｏｃｋを再選択しない。
【００７７】
本実施例では、第４所定条件は、以下の条件のうちの少なくとも１つを含んでもよい。
【００７８】
（１）目標同期信号／物理ブロードキャストチャネルブロックの受信電力と現在選択された同期信号／物理ブロードキャストチャネルブロックの受信電力との差が第７閾値以上であること
例えば、ＵＥは目標ＳＳ／ＰＢＣＨ  ｂｌｏｃｋの受信電力ＲＳＲＰ２と現在選択されたＳＳ／ＰＢＣＨ  ｂｌｏｃｋの受信電力ＲＳＲＰ１との差（ＲＳＲＰ２−ＲＳＲＰ１）と第７閾値Ｙ［ｄＢ］とを比較してもよく、（ＲＳＲＰ２−ＲＳＲＰ１）≧Ｙ［ｄＢ］の場合、ＵＥは該目標ＳＳ／ＰＢＣＨ  ｂｌｏｃｋを新たなＳＳ／ＰＢＣＨ  ｂｌｏｃｋとして選択し、そうでない場合、ＵＥはＳＳ／ＰＢＣＨ  ｂｌｏｃｋを再選択しない。
【００７９】
（２）該ユーザ装置のセル内の最大送信電力ＰＣＭＡＸ，ｃと目標同期信号／物理ブロードキャストチャネルブロックに基づいて算出されたプリアンブルの送信電力Ｐ＿ＳＳＢとの差が第８閾値Ｗ［ｄＢ］よりも大きいこと
例えば、ＰＣＭＡＸ，ｃ−Ｐ＿ＳＳＢ＞Ｗ［ｄＢ］の場合、ＵＥは該目標ＳＳ／ＰＢＣＨ  ｂｌｏｃｋを新たなＳＳ／ＰＢＣＨ  ｂｌｏｃｋとして選択し、そうでない場合、ＵＥはＳＳ／ＰＢＣＨ  ｂｌｏｃｋを再選択しない。本実施例では、該第１閾値、及び／又は第２閾値、及び／又は第３閾値、及び／又は第４閾値、及び／又は第５閾値、及び／又は第６閾値、及び／又は第７閾値、及び／又は第８閾値は基地局によりＵＥのために構成してもよい。例えば、基地局は、システムメッセージ、及び／又はＲＲＣシグナリング、及び／又は物理層制御シグナリングなどを介して構成してもよい。また、本実施例はこれに限定されず、例えば、ＵＥは自ら第１閾値〜第８閾値のうちの任意の１つ又は２つ以上を構成してもよい。
【００８０】
以下は一例を参照しながら本実施例のＵＥによるランダムアクセス試行の方法を説明する。図２は本発明の実施例１のＵＥがランダムアクセス試行を行う方法を示す図である。図２に示すように、該方法は以下のステップを含む。
【００８１】
ステップ２０１：ＵＥの前回のランダムアクセス試行に失敗し、ランダムアクセス試行を再開することを決定する。
【００８２】
ステップ２０２：ＵＥは、パワーランピングカウンタＰＲＣ、及び現在選択されたＳＳ／ＰＢＣＨ  ｂｌｏｃｋに基づいて推定されたパスロスに基づいて、ｐｒｅａｍｂｌｅの送信電力ＰＰＲＡＣＨ，ＳＳＢを計算する。
【００８３】
ステップ２０３：（ＰＰＲＡＣＨ，ＳＳＢ−ＰＣＭＡＸ，ｃ）が閾値Ｚ［ｄＢ］よりも大きいか否かを判断し、判断結果がＮＯの場合、ステップ２０４に進み、判断結果がＹＥＳの場合、ステップ２０８に進む。
【００８４】
ステップ２０４：ＳＳ／ＰＢＣＨ  ｂｌｏｃｋを再選択しない。
【００８５】
ステップ２０５：パワーランピングカウンタＰＲＣに１を加算し、ＰＲＣを更新する。
【００８６】
ステップ２０６：ＵＥは、更新後のパワーランピングカウンタＰＲＣ、及び現在選択されたＳＳ／ＰＢＣＨ  ｂｌｏｃｋに基づいて推定されたパスロスに基づいて、ｐｒｅａｍｂｌｅの送信電力ＰＰＲＡＣＨ，ＳＳＢを再計算する。
【００８７】
ステップ２０７：ＵＥは、ＳＳ／ＰＢＣＨ  ｂｌｏｃｋを再選択し、該再選択されたＳＳ／ＰＢＣＨ  ｂｌｏｃｋに対応するＰＲＡＣＨ  ｒｅｓｏｕｒｃｅを選択する。
【００８８】
ステップ２０８：パワーランピングカウンタＰＲＣが第１閾値Ｎ＿ｔｈｒｅよりも大きいか否かを判断し、判断結果がＮＯの場合、ステップ２１０に進み、判断結果がＹＥＳの場合、ステップ２０９に進む。
【００８９】
ステップ２０９：上位層に該第２ランダムアクセス問題を報告し、上位層によりパワーランピングカウンタＰＲＣをリセットし、例えばパワーランピングカウンタＰＲＣを元の値の半分に設定し、或いは上位層によりパワーランピングステップをリセットし、例えばパワーランピングステップを元の値の半分に設定する。
【００９０】
ステップ２１０：ＵＥは、パワーランピングカウンタＰＲＣ、パワーランピングステップ、及び再選択されたＳＳ／ＰＢＣＨ  ｂｌｏｃｋに基づいて推定されたパスロスに基づいて、ｐｒｅａｍｂｌｅの送信電力ＰＰＲＡＣＨ，ＳＳＢを再計算する。
【００９１】
ステップ２１１：ＵＥは、ＰＰＲＡＣＨ，ＳＳＢに基づいて、上記の式（３）に従ってｐｒｅａｍｂｌｅの送信電力ＰＰＲＡＣＨを決定し、ｐｒｅａｍｂｌｅを送信する。
【００９２】
図２では、破線枠２０で示すステップは、ＵＥが新しいＳＳ／ＰＢＣＨ  ｂｌｏｃｋを選択した場合に上位層に第２ランダムアクセス問題を報告するプロセスを示している。
【００９３】
本実施例によれば、プリアンブルの送信電力を計算する際に、ＵＥにより選択された同期信号／物理ブロードキャストチャネルブロック（ＳＳ／ＰＢＣＨ  ｂｌｏｃｋ）に基づいて推定されたパスロスを考慮しているため、マルチビームなどの複雑なシナリオでのＵＥランダムアクセス手順に適応することができる。また、ＵＥは新たしいＳＳ／ＰＢＣＨ  ｂｌｏｃｋを選択した場合にパワーランピングカウンタ及び／又はパワーランピングステップを設定することで、ｐｒｅａｍｂｌｅの送信電力を制御することができ、他のＵＥへの干渉を回避することができる。また、ＵＥは、所定条件が満たされた場合にのみ、新たしいＳＳ／ＰＢＣＨ  ｂｌｏｃｋを選択してｐｒｅａｍｂｌｅを送信することで、ＳＳ／ＰＢＣＨ  ｂｌｏｃｋ間のピンポン効果を回避することができる。
【００９４】
＜実施例２＞
本発明の実施例２はランダムアクセス方法を提供し、該方法はネットワーク側へのランダムアクセス手順を開始する装置側、例えばユーザ装置（ＵＥ）側に適用される。
【００９５】
図３は本発明の実施例２のランダムアクセスの電力制御方法のフローチャートである。図３に示すように、該方法は以下のステップを含む。
【００９６】
ステップ３０１：第１パラメータを用いてｐｒｅａｍｂｌｅの送信電力を計算する。
【００９７】
本実施例では、第１パラメータは、例えばＵＥの単一の受信ビームにより受信されたシーケンスの数Ｎ＿ｓｅｑ．ｂｅａｍ、並びに／又はプリアンブルに含まれるシーケンスの数及び受信ビーム（ｂｅａｍ）の数、並びに／又はプリアンブルにより用いられる構成パラメータ若しくはサブキャリア帯域幅（ｎｕｍｅｒｏｌｏｇｙ／ＳＣＳ）、並びに／又はＵＥのタイプ、並びに／又はＵＥの送信／受信ビーム（ＴＸ／ＲＸ  ｂｅａｍ）のゲインなどを含んでもよい。
【００９８】
また、本実施例では、第１パラメータは、上記の列挙されたパラメータに限定されない。
【００９９】
本実施例では、ｐｒｅａｍｂｌｅの送信電力を計算する際に第１パラメータを考慮しているため、ｐｒｅａｍｂｌｅの送信電力は複雑な通信シナリオの要求を満たすことができる。
【０１００】
本実施例では、ｐｒｅａｍｂｌｅの送信電力Ｐ’ＰＲＡＣＨは、以下の式（６）に従って決定されてもよい。
【０１０１】
ＰＰＲＡＣＨ＝ｍｉｎ｛ＰＣＭＡＸ，ｃ，Ｐ’ＰＲＡＣＨ，ＳＳＢ｝［ｄＢｍ］            （６）
ここで、ＰＣＭＡＸ，ｃはＵＥのセルｃでの最大送信電力であり、Ｐ’ＰＲＡＣＨ，ＳＳＢはＵＥによりパワーランピングカウンタ、パスロスの推定値、及び第１パラメータに基づいて算出されたｐｒｅａｍｂｌｅ送信時に必要な送信電力である。例えば、第１パラメータは電力オフセットを決定するために用いられてもよく、該電力オフセットはＰ’ＰＲＡＣＨ，ＳＳＢを計算するための式に導入されてもよい。
【０１０２】
１つの態様では、該第１パラメータにより設定された電力オフセットＤＥＬＴＡ＿Ｐ、該パスロスの推定値、及びパワーランピングカウンタに基づいて取得されたプリアンブル受信目標電力（ＰＲＥＡＭＢＬＥ＿ＲＥＣＥＩＶＥＤ＿ＴＡＲＧＥＴ＿ＰＯＷＥＲ）に基づいて、Ｐ’ＰＲＡＣＨ，ＳＳＢを計算してもよい。例えば、Ｐ’ＰＲＡＣＨ，ＳＳＢは以下の式（７）に従って取得されてもよい。
【０１０３】
Ｐ’ＰＲＡＣＨ，ＳＳＢ＝ＰＲＥＡＭＢＬＥ＿ＲＥＣＥＩＶＥＤ＿ＴＡＲＧＥＴ＿ＰＯＷＥＲ＋ＰＬ’＋ＤＥＬＴＡ＿Ｐ            （７）
ここで、ＰＬ’は、ｐｒｅａｍｂｌｅを送信するパスのパスロスの推定値であり、該パスロスの推定値はＵＥにより推定されたセルｃのダウンリンクのパスロスであってもよい。このように、ＰＬ’は、式（１）におけるＰＬｃに等しくてもよい。また、該パスロスの推定値は、ＵＥにより選択されたＳＳ／ＰＢＣＨ  ｂｌｏｃｋに基づいて推定されたパスロスであってもよい。このように、ＰＬ’は、式（４）におけるＰＬ１、式（４−２）におけるＰＬ２、又はＰＬ３に等しくてもよい。また、ＰＬ’が式（４）におけるＰＬ１、ＰＬ２又はＰＬ３に等しい場合、本実施例のランダムアクセス方法と実施例１のランダムアクセス方法とを併合してもよく、即ち図３のステップ３０１と図１のステップ１０１と併合してもよい。これによって、パワーランピングカウンタ（ＰＯＷＥＲ＿ＲＡＭＰＩＮＧ＿ＣＯＵＮＴＥＲ）、ＵＥにより選択された同期信号／物理ブロードキャストチャネルブロック（ＳＳ／ＰＢＣＨ  ｂｌｏｃｋ）及び／又はチャネル状態情報参照信号（ＣＳＩ−ＲＳ）に基づいて推定されたパスロス、及び第１パラメータに基づいて、ｐｒｅａｍｂｌｅの送信電力を計算する。ＰＲＥＡＭＢＬＥ＿ＲＥＣＥＩＶＥＤ＿ＴＡＲＧＥＴ＿ＰＯＷＥＲは、プリアンブル受信目標電力を表し、パワーランピングカウンタに基づいて取得されてもよく、例えば、ＰＲＥＡＭＢＬＥ＿ＲＥＣＥＩＶＥＤ＿ＴＡＲＧＥＴ＿ＰＯＷＥＲは上記の式（５）に基づいて取得されてもよい。
【０１０４】
他の態様では、第１パラメータにより設定された電力オフセットＤＥＬＴＡ＿Ｐ及びパワーランピングカウンタに基づいて取得されたプリアンブル受信目標電力、並びにパスロスＰＬ’に基づいてＰ’ＰＲＡＣＨ，ＳＳＢを計算してもよい。例えば、Ｐ’ＰＲＡＣＨ，ＳＳＢは以下の式（８）に従って取得されてもよい。
【０１０５】
Ｐ’ＰＲＡＣＨ，ＳＳＢ＝ＰＲＥＡＭＢＬＥ＿ＲＥＣＥＩＶＥＤ＿ＴＡＲＧＥＴ＿ＰＯＷＥＲ’＋ＰＬ’            （８）
ここで、ＰＲＥＡＭＢＬＥ＿ＲＥＣＥＩＶＥＤ＿ＴＡＲＧＥＴ＿ＰＯＷＥＲ’は、第１パラメータにより設定された電力オフセットＤＥＬＴＡ＿Ｐ及びパワーランピングカウンタに基づいて取得されたプリアンブル受信目標電力であり、例えば、ＰＲＥＡＭＢＬＥ＿ＲＥＣＥＩＶＥＤ＿ＴＡＲＧＥＴ＿ＰＯＷＥＲ’は、以下の式（９）を用いて取得されてもよい。
【０１０６】
ＰＲＥＡＭＢＬＥ＿ＲＥＣＥＩＶＥＤ＿ＴＡＲＧＥＴ＿ＰＯＷＥＲ’＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ  ＋  ＤＥＬＴＡ＿Ｐ＋（ＰＯＷＥＲ＿ＲＡＭＰＩＮＧ＿ＣＯＵＮＴＥＲ−１）＊ｐｏｗｅｒＲａｍｐｉｎｇＳｔｅｐ            （９）
ここで、ｐｒｅａｍｂｌｅＩｎｉｔｉａｌＲｅｃｅｉｖｅｄＴａｒｇｅｔＰｏｗｅｒ及びｐｏｗｅｒＲａｍｐｉｎｇＳｔｅｐは、セルにより構成されたプリアンブルについての初期目標受信電力及びパワーランピングステップである。ＤＥＬＴＡ＿ＰＲＥＡＭＢＬＥはプリアンブルフォーマット（Ｐｒｅａｍｂｌｅ  Ｆｏｒｍａｔ）に基づいて予め定義された電力オフセットである。ＰＯＷＥＲ＿ＲＡＭＰＩＮＧ＿ＣＯＵＮＴＥＲはパワーランピングカウンタを表す。ＤＥＬＴＡ＿Ｐは該特性パラメータに基づいて設定された電力オフセットである。
【０１０７】
上記の式（７）及び式（９）において、電力オフセットＤＥＬＴＡ＿Ｐは、加算演算の形でＰ'ＰＲＡＣＨ，ＳＳＢの計算に導入されるが、本実施例はこれに限定されなく、ＤＥＬＴＡ＿Ｐは、減算演算、及び／又は乗算演算、及び／又は除算演算、及び／又は指数演算、及び／又は対数演算の形でＰ’ＰＲＡＣＨ，ＳＳＢの計算に導入されてもよい。また、所定の条件で式（７）又は式（９）に電力オフセットＤＥＬＴＡ＿Ｐを導入して、Ｐ’ＰＲＡＣＨ，ＳＳＢを計算してもよい。例えば、ｐｒｅａｍｂｌｅが短いシーケンスの場合、式（９）において、ＤＥＬＴＡ＿Ｐを保留してＤＥＬＴＡ＿ＰＲＥＡＭＢＬＥを削除してもよく、即ちＤＥＬＴＡ＿ＰＲＥＡＭＢＬＥをＤＥＬＴＡ＿Ｐに置き換えてもよい。また、プリアンブルが長いシーケンスの場合、式（９）において、ＤＥＬＴＡ＿ＰＲＥＡＭＢＬＥを保留してＤＥＬＴＡ＿Ｐを削除してもよい。
【０１０８】
以下は、式（５）及び式（９）におけるＤＥＬＴＡ＿ＰＲＥＡＭＢＬＥの決定方法を説明する。
【０１０９】
ＤＥＬＴＡ＿ＰＲＥＡＭＢＬＥは、プリアンブルのフォーマットに従って決定されてもよい。
【０１１０】
本実施例では、長いシーケンス（シーケンスの長さＬは８３９）のｐｒｅａｍｂｌｅの場合、ｆｏｒｍａｔ  ０（８３９）を基準フォーマットとして他の各フォーマットに対応するＤＥＬＴＡ＿ＰＲＥＡＭＢＬＥの値を決定してもよい。短いシーケンスの場合（シーケンスの長さＬは１２７／１３９、即ち１２７又は１３９）のｐｒｅａｍｂｌｅの場合、短いフォーマット（１２７／１３９）におけるフォーマット（例えばフォーマットＡ０）を基準フォーマットとして他の各フォーマットに対応するＤＥＬＴＡ＿ＰＲＥＡＭＢＬＥの値を計算してもよい。また、短いシーケンスの基準フォーマットに対応するＤＥＬＴＡ＿ＰＲＥＡＭＢＬＥの値は、長いシーケンスの基準フォーマットに対応するＤＥＬＴＡ＿ＰＲＥＡＭＢＬＥの値を参照して取得されてもよい。表１は、各フォーマットに対応するＤＥＬＴＡ＿ＰＲＥＡＭＢＬＥの値を示している。
【０１１１】
表１：
【表１】
0006988994.tif 000002
【０１１２】
表１では、長いシーケンスに対応する各フォーマット０、１、２、３について、表１から対応するＤＥＬＴＡ＿ＰＲＥＡＭＢＬＥを直接決定してもよい。ここで、フォーマット１、２、３に対応するＤＥＬＴＡ＿ＰＲＥＡＭＢＬＥの値は、フォーマット０に対応するＤＥＬＴＡ＿ＰＲＥＡＭＢＬＥの値を参照して取得される。短いシーケンスに対応する各フォーマットについて、短いシーケンスの基準フォーマットに対応するＤＥＬＴＡ＿ＰＲＥＡＭＢＬＥの値を、各フォーマットに対応するＤＥＬＴＡ＿ＰＲＥＡＭＢＬＥの値として用いてもよい。また、短いシーケンスの基準フォーマットに対応するＤＥＬＴＡ＿ＰＲＥＡＭＢＬＥの値は例えば１４ｄＢであり、この値はフォーマット０に対応するＤＥＬＴＡ＿ＰＲＥＡＭＢＬＥの値０を基準として取得された値であってもよい。
【０１１３】
また、上記の表１では、Δｆ＝１５ｋＨｚはプリアンブルで使用されるサブキャリアの帯域幅を表す。
【０１１４】
また、上記の表１は単なる一例であり、各フォーマットに対応するＤＥＬＴＡ＿ＰＲＥＡＭＢＬＥの値は他の値であってもよい。
【０１１５】
以下は、各特性パラメータに基づいてＰ’ＰＲＡＣＨ，ＳＳＢを計算する方法を説明する。
【０１１６】
１．ＵＥの単一の受信ビームで受信されたシーケンスの数（Ｎ＿ｓｅｑ．ｂｅａｍ）に基づいてＰ’ＰＲＡＣＨ，ＳＳＢを計算する。
【０１１７】
Ｎ＿ｓｅｑ．ｂｅａｍに基づいて決定された電力オフセットＤＥＬＴＡ＿Ｐ＝ＤＥＬＴＡ＿ＮｏＳ。
【０１１８】
本実施例では、長いシーケンス（シーケンスの長さＬは８３９）のｐｒｅａｍｂｌｅ及び短いシーケンス（シーケンスの長さＬは１２７／１３９）のｐｒｅａｍｂｌｅの各フォーマットに対応するＤＥＬＴＡ＿ＮｏＳは異なる。表２は、長いシーケンスのｐｒｅａｍｂｌｅに対応するＤＥＬＴＡ＿ＮｏＳのリストである。
【０１１９】
表２：Ｌ＝８３９
【表２】
0006988994.tif 000003
【０１２０】
表３は、短いシーケンスのｐｒｅａｍｂｌｅに対応するＤＥＬＴＡ＿ＮｏＳのリストである。例えば、ｆｏｒｍａｔ  Ａ０を基準ｆｏｒｍａｔとして短いシーケンスのフォーマットに対応するＤＥＬＴＡ＿ＰＲＥＡＭＢＬＥを計算する場合、以下の式（１０）に従ってＤＥＬＴＡ＿ＮｏＳを決定してもよい。
【数１】
0006988994.tif 000004
【０１２１】
表３：Ｌ＝１２７／１３９
【表３】
0006988994.tif 000005
【０１２２】
表１及び表２では、Ｆｏｒｍａｔはプリアンブルフォーマット（Ｐｒｅａｍｂｌｅ  Ｆｏｒｍａｔ）を意味し、「＃ｏｆ  Ｓｅｑｕｅｎｃｅ」は受信されたシーケンス（ｓｅｑｕｅｎｃｅ）の番号を表す。
【０１２３】
長いシーケンスのｐｒｅａｍｂｌｅ又は短いシーケンスのｐｒｅａｍｂｌｅについて、Ｎ＿ｓｅｑ．ｂｅａｍに従って、表２又は表３に示すＤＥＬＴＡ＿ＮｏＳを式（７）又は（８）、（９）に代入して、Ｐ’ＰＲＡＣＨ，ＳＳＢを計算してもよい。
【０１２４】
また、本実施例では、所定の条件で式（７）又は式（９）にＤＥＬＴＡ＿ＮｏＳを導入して、Ｐ’ＰＲＡＣＨ，ＳＳＢを計算してもよい。例えば、ｐｒｅａｍｂｌｅが短いシーケンス（１２７／１３９）の場合、式（７）又は式（９）においてＤＥＬＴＡ＿ＮｏＳを保留してＤＥＬＴＡ＿ＰＲＥＡＭＢＬＥを削除してもよく、即ち、ｐｒｅａｍｂｌｅが短いシーケンス（１２７／１３９）の場合にのみ、ＤＥＬＴＡ＿Ｎｏｓのｐｒｅａｍｂｌｅ送信電力への影響を考慮し、ＤＥＬＴＡ＿ＰＲＥＡＭＢＬＥをＤＥＬＴＡ＿ＮｏＳに置き換える。また、ｐｒｅａｍｂｌｅが長いシーケンス（８３９）の場合、式（７）又は式（９）においてＤＥＬＴＡ＿ＰＲＥＡＭＢＬＥを保留してＤＥＬＴＡ＿ＮｏＳを削除してもよく、例えば、式（９）を以下の式（９ａ）に書き換えてもよい。
【０１２５】
ＰＲＥＡＭＢＬＥ＿ＲＥＣＥＩＶＥＤ＿ＴＡＲＧＥＴ＿ＰＯＷＥＲ’＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ（ｆｏｒ  ８３９）／ＤＥＬＴＡ＿ＮｏＳ（ｆｏｒ  １２７／１３９）＋（ＰＯＷＥＲ＿ＲＡＭＰＩＮＧ＿ＣＯＵＮＴＥＲ−１）＊ｐｏｗｅｒＲａｍｐｉｎｇＳｔｅｐ      （９ａ）
ここで、ＤＥＬＴＡ＿ＰＲＥＡＭＢＬＥ（ｆｏｒ  ８３９）／ＤＥＬＴＡ＿ＮｏＳ（ｆｏｒ  １２７／１３９）は、ｐｒｅａｍｂｌｅが短いシーケンス（１２７／１３９）の場合に、ＤＥＬＴＡ＿ＮｏＳの値であり、例えば上記の表３を参照してＤＥＬＴＡ＿ＮｏＳの値を決定し、ｐｒｅａｍｂｌｅが長いシーケンス（８３９）の場合に、ＤＥＬＴＡ＿ＰＲＥＡＭＢＬＥの値であり、例えば上記の表１を参照してＤＥＬＴＡ＿ＰＲＥＡＭＢＬＥの値を決定することを表す。
【０１２６】
２．プリアンブルで用いられる構成パラメータ又はサブキャリア帯域幅（ｎｕｍｅｒｏｌｏｇｙ／ＳＣＳ）に基づいてＰ’ＰＲＡＣＨ，ＳＳＢを計算する。
【０１２７】
本実施例では、短シーケンスのｐｒｅａｍｂｌｅの場合、プリアンブルで用いられる構成パラメータ又はサブキャリアの帯域幅に基づいて該短いシーケンスのｐｒｅａｍｂｌｅの送信電力を計算してもよい。
【０１２８】
ここで、プリアンブルで使用される構成パラメータ又はサブキャリアの帯域幅（ｎｕｍｅｒｏｌｏｇｙ／ＳＣＳ）に基づいて決定された電力オフセットは、ＤＥＬＴＡ＿Ｐ  ＝  ＤＥＬＴＡ＿ＳＣＳで表されてもよい。例えば、以下の式（１１）に従ってＤＥＬＴＡ＿ＳＣＳを決定してもよい。
【０１２９】
ＤＥＬＴＡ＿ＳＣＳ＝１０ｌｏｇ（μ＋１）            （１１）
ここで、μはｐｒｅａｍｂｌｅにより用いられるサブキャリアの帯域幅の構成パラメータを表し、ｐｒｅａｍｂｌｅにより用いられるサブキャリアの帯域幅ΔｆはΔｆ＝１５・２μｋＨｚで表されてもよく、μの値は例えば０、１、２又は３などであってもよい。
【０１３０】
例えば、ＳＣＳが１５ｋＨｚのｐｒｅａｍｂｌｅに必要な送信電力を基準送信電力として、Δｆ＝１５・２μｋＨｚはｐｒｅａｍｂｌｅにより用いられるサブキャリアの帯域幅を表し、ｆｏｒｍａｔ  Ａ２の例では、基準送信電力に対する電力オフセットＤＥＬＴＡ＿ＳＣＳは以下の表４に示すものであってもよい。
【０１３１】
表４：
【表４】
0006988994.tif 000006
【０１３２】
３．ＵＥタイプに基づいてＰ’ＰＲＡＣＨ，ＳＳＢを計算する。
【０１３３】
本実施例では、ＵＥタイプは、例えばＵＥのサービスタイプを意味してもよく、ＵＥのタイプに基づいて決定された電力オフセットは、ＤＥＬＴＡ＿Ｐ＝ＤＥＬＴＡ＿ＵＥで表されてもよい。
【０１３４】
本実施例では、ＵＥのタイプに対応するＤＥＬＴＡ＿ＵＥの値を決定するために、ＵＥタイプとＤＥＬＴＡ＿ＵＥの値との間の対応関係のリストを予め設定してもよい。
【０１３５】
以下の表５は、ＵＥのタイプとＤＥＬＴＡ＿ＵＥの値との対応関係の一例である。
【表５】
0006988994.tif 000007
【０１３６】
上記の表では、ＵＥタイプ０は、ＵＥのサービスタイプがビームマッピングが可能であることを表し、このタイプに対応するＤＥＬＴＡ＿ＵＥの値は０ｄＢである。ＵＥタイプ１は、ＵＥのサービスタイプがビームマッピングを実行できないことを表し、このタイプに対応するＤＥＬＴＡ＿ＵＥの値は３ｄＢである。
【０１３７】
４．ＵＥの送信／受信ビームのゲインに基づいてＰ’ＰＲＡＣＨ，ＳＳＢを計算する。
【０１３８】
本実施例では、ＵＥの送信／受信ビームのゲインに基づいて決定された電力オフセットは、ＤＥＬＴＡ＿Ｐ＝ＤＥＬＴＡ＿Ｂｅａｍで表されてもよい。
【０１３９】
本実施例では、送信／受信ビームのゲインに対応するＤＥＬＴＡ＿Ｂｅａｍの値を決定するために、送信／受信ビームのゲインとＤＥＬＴＡ＿Ｂｅａｍの値との間の対応関係のリスト又は式を予め設定してもよい。
【０１４０】
本実施例では、ＤＥＬＴＡ＿ＮｏＳ、ＤＥＬＴＡ＿ＳＣＳ、ＤＥＬＴＡ＿ＵＥ及びＤＥＬＴＡ＿Ｂｅａｍのうちの少なくとも１つをＤＥＬＴＡ＿ＰとしてＰ'ＰＲＡＣＨ，ＳＳＢを計算してもよいし、それらの２つ以上の組み合わせをＤＥＬＴＡ＿ＰとしてＰ'ＰＲＡＣＨ，ＳＳＢを計算してもよい。
【０１４１】
本実施例では、ＵＥは、第１実施例と同様な方式で、ｐｒｅａｍｂｌｅを送信するためにＳＳ／ＰＢＣＨ  ｂｌｏｃｋを再選択するか否かを決定してもよい。また、ＵＥがＳＳ／ＰＢＣＨ  ｂｌｏｃｋを再選択した場合、実施例１の方式を用いてＵＥの該第２ランダムアクセス問題を報告するタイミングを決定してもよい。また、ＵＥの上位層によるパワーランピングカウンタ及び／又はパワーランピングステップを設定する方式も実施例１と同様である。
【０１４２】
５．プリアンブルに含まれるシーケンスの数及び受信ビーム（ｂｅａｍ）の数に基づいてＰ’ＰＲＡＣＨ，ＳＳＢを計算する。
【０１４３】
具体的な方法は上記１と同様である。
【０１４４】
本実施例によれば、ｐｒｅａｍｂｌｅの送信電力を計算する際に、第１パラメータを考慮することで、ｐｒｅａｍｂｌｅの送信電力は複雑な通信シナリオの要求を満たすことができる。
【０１４５】
＜実施例３＞
本実施例３はランダムアクセスの電力制御装置を提供する。該装置の問題解決の原理は実施例１及び実施例２の方法と類似するため、その具体的な実施は実施例１及び実施例２の方法の実施を参考してもよく、同様な内容について説明を省略する。
【０１４６】
図４は本発明の実施例３のランダムアクセスの電力制御装置を示す図である。図４に示すように、ランダムアクセスの電力制御装置４００は第１計算部４０１を含む。第１計算部４０１は、ユーザ装置がランダムアクセスプリアンブルを送信する際に用いられる送信電力を計算する。
【０１４７】
本実施例では、第１計算部４０１は、ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを用いて、該ユーザ装置がランダムアクセスプリアンブルを送信する際に用いられる送信電力を計算する。
【０１４８】
本実施例では、図４に示すように、ランダムアクセスの電力制御装置４００は、第１設定部４０２をさらに有してもよい。第１設定部４０２は、報告されたユーザ装置により再選択された同期信号／物理ブロードキャストチャネルブロックに関連するランダムアクセス問題が取得された場合、パワーランピングカウンタ及び／又はパワーランピングステップを設定する。本実施例では、該第１設定部４０２はＵＥの上位層により実現されてもよく、該ＵＥの上位層は例えば媒体アクセス制御（ＭＡＣ：Ｍｅｄｉａ  Ａｃｃｅｓｓ  Ｃｏｎｔｒｏｌ）層であってもよい。
【０１４９】
本実施例では、図４に示すように、ランダムアクセスの電力制御装置４００は、第１報告部４０３をさらに有してもよい。第１報告部４０３は、ユーザ装置が同期信号／物理ブロードキャストチャネルブロック（ＳＳ／ＰＢＣＨ  ｂｌｏｃｋ）を再選択した場合、第１設定部４０２にユーザ装置により再選択された同期信号／物理ブロードキャストチャネルブロックに関連する該ランダムアクセス問題を報告する。
【０１５０】
本実施例では、図４に示すように、ランダムアクセスの電力制御装置４００は、第２報告部４０４をさらに有してもよい。第２報告部４０４は、ユーザ装置が同期信号／物理ブロードキャストチャネルブロック（ＳＳ／ＰＢＣＨ  ｂｌｏｃｋ）を再選択し、且つ第１所定条件が満たされた場合、第１設定部４０２にユーザ装置により再選択された同期信号／物理ブロードキャストチャネルブロックに関連する該ランダムアクセス問題を報告する。
【０１５１】
本実施例では、該第１所定条件は、パワーランピングカウンタが第１閾値よりも大きいこと、及び該ユーザ装置により再選択された同期信号／物理ブロードキャストチャネルブロックに基づいて推定されたパスロスを用いて該ユーザ装置により算出された送信電力が第２閾値よりも大きいことのうち少なくとも１つの条件である。
【０１５２】
本実施例では、図４に示すように、ランダムアクセスの電力制御装置４００は、第２設定部４０２ａをさらに有してもよい。第２設定部４０２ａは、ユーザ装置が同期信号／物理ブロードキャストチャネルブロックを再選択した場合、又はユーザ装置が同期信号／物理ブロードキャストチャネルブロックを再選択し、且つ第２所定条件が満たされた場合、パワーランピングカウンタ及び／又はパワーランピングステップを設定する。
【０１５３】
本実施例では、第２設定部４０２ａに該ＵＥにより再選択されたＳＳ／ＰＢＣＨ  ｂｌｏｃｋに関連するランダムアクセス問題（即ち第２ランダムアクセス問題）を報告することなく、第２設定部４０２ａはパワーランピングカウンタ及び／又はパワーランピングステップを設定してもよい。ここで、第２設定部４０２ａは、例えばＵＥの物理層に位置してもよい。
【０１５４】
本実施例では、第２所定条件は上記の第１所定条件において列挙された少なくとも１つの条件であってもよい。
【０１５５】
本実施例では、図４に示すように、ランダムアクセスの電力制御装置４００は、第１決定部４０５をさらに有してもよい。第１決定部４０５は、該ユーザ装置により現在選択された同期信号／物理ブロードキャストチャネルブロック（ＳＳ／ＰＢＣＨ  ｂｌｏｃｋ）に関連するパラメータが第３所定条件を満たし、且つ／或いは目標同期信号／物理ブロードキャストチャネルブロック（ＳＳ／ＰＢＣＨ  ｂｌｏｃｋ）に関連するパラメータが第４所定条件を満たした場合、該目標同期信号／物理ブロードキャストチャネルブロックを選択すると決定する。
【０１５６】
本実施例では、該第３所定条件は、現在選択された同期信号／物理ブロードキャストチャネルブロックの受信電力が第３閾値よりも小さいこと、現在選択された同期信号／物理ブロードキャストチャネルブロックに基づいて算出された該プリアンブルの送信電力と該ユーザ装置のセル内の最大送信電力との差が第４閾値よりも大きいこと、現在選択された同期信号／物理ブロードキャストチャネルブロックに基づいて算出された該プリアンブルの最大送信電力での送信の回数が第５閾値以上であること、及び現在選択された同期信号／物理ブロードキャストチャネルブロックに基づいてランダムアクセス試行を行う時間が第６閾値以上であることのうち少なくとも１つの条件を含む。
【０１５７】
本実施例では、該第４所定条件は、目標同期信号／物理ブロードキャストチャネルブロックの受信電力と現在選択された同期信号／物理ブロードキャストチャネルブロックの受信電力との差が第７閾値以上であること、及び該ユーザ装置のセル内の最大送信電力と目標同期信号／物理ブロードキャストチャネルブロックに基づいて算出された該プリアンブルの送信電力との差が第８閾値よりも大きいことのうち少なくとも１つの条件を含んでもよい。
【０１５８】
本実施例では、第１計算部４０１は、送信電力を計算する際に、ユーザ装置に関連する特性パラメータに基づいて該送信電力を計算してもよい。言い換えれば、第１計算部４０１は、パワーランピングカウンタ、ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロス、及び該ユーザ装置に関連する特性パラメータに基づいて、該ユーザ装置がランダムアクセス手順において該プリアンブルを送信する際に用いられる送信電力を計算してもよい。
【０１５９】
例えば、第１計算部４０１は、第１パラメータにより設定された電力オフセット、パスロス、及びパワーランピングカウンタに基づいて取得されたプリアンブル受信目標電力に基づいて、送信電力を計算してもよい。或いは、第１計算部４０１は、第１パラメータにより設定された電力オフセット及びパワーランピングカウンタに基づいて取得されたプリアンブル受信目標電力、並びにパスロスに基づいて、送信電力を計算してもよい。
【０１６０】
本実施例では、第１パラメータは、該ユーザ装置の単一の受信ビームにより受信されたシーケンスの数（Ｎ＿ｓｅｑ．ｂｅａｍ）、並びに／又はプリアンブルにより用いられる構成パラメータ若しくはサブキャリア帯域幅、並びに／又はユーザ装置のタイプ、並びに／又はユーザ装置の送信／受信ビームのゲインを含んでもよい。
【０１６１】
本実施例では、所定の条件で該第１パラメータの送信電力への影響を考慮してもよい。例えば、ｐｒｅａｍｂｌｅが短いシーケンス（１２７／１３９）の場合、該第１パラメータの送信電力への影響を考慮し、ｐｒｅａｍｂｌｅが長いシーケンス（８３９）の場合、該第１パラメータの送信電力への影響を考慮しない。
【０１６２】
本実施例では、第１パラメータに基づいて電力オフセットを計算して送信電力を計算する具体的な方法は、実施例２の説明を参照してもよく、本実施例ではその説明を省略する。
【０１６３】
本実施例に係るランダムアクセス装置によれば、マルチビームなどの複雑なシナリオでのＵＥランダムアクセス手順に適応することができる。また、ＵＥは新たしいＳＳ／ＰＢＣＨ  ｂｌｏｃｋを選択した場合にパワーランピングカウンタ及び／又はパワーランピングステップを設定することで、ｐｒｅａｍｂｌｅの送信電力を制御することができ、他のＵＥへの干渉を回避することができる。また、ＵＥは、所定条件が満たされた場合にのみ、新たしいＳＳ／ＰＢＣＨ  ｂｌｏｃｋを選択してｐｒｅａｍｂｌｅを送信することで、ＳＳ／ＰＢＣＨ  ｂｌｏｃｋ間のピンポン効果を回避することができる。
【０１６４】
＜実施例４＞
本実施例４はランダムアクセスの電力制御装置を提供する。該装置の問題解決の原理は実施例２の方法と類似するため、その具体的な実施は実施例２の方法の実施を参考してもよく、同様な内容について説明を省略する。
【０１６５】
図５は本発明の実施例４のランダムアクセスの電力制御装置を示す図である。図５に示すように、ランダムアクセスの電力制御装置５００は第２計算部５０１を含む。第２計算部５０１は、ユーザ装置がランダムアクセスプリアンブルを送信する際に用いられる送信電力を計算する。
【０１６６】
本実施例では、第２計算部５０１は、ユーザ装置に関連する第１パラメータに基づいて送信電力を計算してもよい。ここで、該第１パラメータは、ユーザ装置の単一の受信ビームにより受信されたシーケンスの数（Ｎ＿ｓｅｑ．ｂｅａｍ）、並びに／又はプリアンブルにより用いられる構成パラメータ若しくはサブキャリア帯域幅、並びに／又はユーザ装置のタイプ、並びに／又はユーザ装置の送信／受信ビームのゲインなどを含む。
【０１６７】
本実施例では、第１パラメータに基づいて電力オフセットを計算して送信電力を計算する具体的な方法は、実施例２の説明を参照してもよく、本実施例ではその説明を省略する。
【０１６８】
本実施例に係るランダムアクセス装置によれば、マルチビームなどの複雑なシナリオでのＵＥランダムアクセス手順に適応することができる。
【０１６９】
＜実施例５＞
本実施例５はユーザ装置を提供し、該ユーザ装置は実施例３又は実施例４に記載のランダムアクセスの電力制御装置４００又はランダムアクセスの電力制御装置５００が配置されている。
【０１７０】
図６は本発明の実施例のユーザ装置を示す図である。図６に示すように、ユーザ装置６００は、中央処理装置（ＣＰＵ）６０１及びメモリ６０２を含んでもよく、メモリ６０２は中央処理装置６０１に接続される。ここで、メモリ６０２は、各種のデータ及びデータ処理のプログラムを記憶し、中央処理装置６０１の制御により該プログラムを実行し、ランダムアクセスを行う。
【０１７１】
１つの態様では、ランダムアクセスの電力制御装置４００又はランダムアクセスの電力制御装置５００の機能は中央処理装置６０１に統合されてもよい。ここで。中央処理装置６０１は、実施例１又は実施例２に記載されたランダムアクセス方法を実現するように構成されてもよい。
【０１７２】
例えば、中央処理装置６０１は、ユーザ装置により選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを用いて、ユーザ装置がランダムアクセス手順においてプリアンブルを送信する際に用いられる送信電力を計算するように構成されてもよい。或いは、中央処理装置６０１は、第１パラメータを用いて該送信電力を計算するように構成されてもよい。
【０１７３】
なお、中央処理装置６０１の他の構成方法は実施例１及び実施例２を参照してもよく、ここでその説明を省略する。
【０１７４】
もう１つの態様では、ランダムアクセスの電力制御装置４００又はランダムアクセスの電力制御装置５００は中央処理装置６０１とそれぞれ配置されてもよく、例えばランダムアクセスの電力制御装置４００又はランダムアクセスの電力制御装置５００は中央処理装置６０１に接続されたチップであり、図６に示すランダムアクセスの電力制御部は、中央処理装置６０１の制御によりランダムアクセスの電力制御装置４００又はランダムアクセスの電力制御装置５００の機能を実現してもよい。
【０１７５】
図６に示すように、ユーザ装置６００は、通信モジュール６０３、入力部６０４、ディスプレイ６０６、音声処理部６０５、アンテナ６０７及び電源６０８などをさらに含んでもよい。ここで、上記構成部の機能は従来技術と同様であり、ここでその説明を省略する。なお、ユーザ装置６００は図６に示す全てのユニットを含む必要がない。また、ユーザ装置６００は、図６に示されていないユニットをさらに含んでもよく、従来技術を参照してもよい。
【０１７６】
本実施例によれば、該ＵＥはマルチビームなどの複雑なシナリオでのＵＥランダムアクセス手順に適応することができる。
【０１７７】
＜実施例６＞
図７Ａ及び図７Ｂは実施例６の通信システムを示す他の図である。図７Ａに示すように、通信システム７００は、ネットワーク側の１つのネットワーク装置７０１及びユーザ装置７０２を含む。ユーザ装置７０２は、ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを用いて、ユーザ装置がランダムアクセスプリアンブルを送信する際に用いられる送信電力を計算する。或いは、ユーザ装置７０２は、第１パラメータを用いて該送信電力を計算する。ネットワーク側の１つのネットワーク装置７０１はＵＥ７０２により送信されたプリアンブルを受信する。また、ネットワーク側の１つのネットワーク装置７０１は、ユーザ装置７０２のために、ユーザ装置７０２により用いられる上記の第１閾値〜第８閾値のうちの任意の１つ又は２つ以上を構成してもよい。
【０１７８】
図７Ｂに示すように、通信システム７００は、ネットワーク側の複数のネットワーク装置７０１及びユーザ装置７０２を含む。ユーザ装置７０２は、ユーザ装置により現在選択された同期信号／物理ブロードキャストチャネルブロック（ＳＳ／ＰＢＣＨ  ｂｌｏｃｋ）及び／又はチャネル状態情報基準信号（ＣＳＩ−ＲＳ）に基づいて推定されたパスロスを用いて、ユーザ装置がランダムアクセスプリアンブルを送信する際に用いられる送信電力を計算する。或いは、ユーザ装置７０２は、第１パラメータを用いて該送信電力を計算する。ネットワーク側の複数のネットワーク装置７０１はＵＥ７０２により送信されたプリアンブルを受信する。また、ネットワーク側の複数のネットワーク装置７０１は、ユーザ装置７０２のために、ユーザ装置７０２により用いられる上記の第１閾値〜第８閾値のうちの任意の１つ又は２つ以上を構成してもよい。
【０１７９】
ここで、ユーザ装置７０２の構成は実施例５に記載されたものであり、該システムの作動フローは実施例１〜４に記載されたものであり、ここでその内容を援用し、ここでその説明を省略する。
【０１８０】
本実施例によれば、該システムはマルチビームなどの複雑なシナリオでのＵＥランダムアクセス手順に適応することができる。
【０１８１】
＜実施例７＞
本発明の実施例７は情報指示方法を提供し、該情報指示方法はネットワーク側、例えばネットワーク装置に適用される。
【０１８２】
図８は本実施例の情報指示方法のフローチャートである。図８に示すように、該情報指示方法は以下のステップを含んでもよい。
【０１８３】
ステップ８０１：現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を送信する。
【０１８４】
本実施例では、第１指示情報及び／又は第２指示情報を送信することで、ＵＥがデータの送受信及び測定を容易に行うために、ＳＳ／ＰＢＣＨ  ｂｌｏｃｋを送信するために用いられる時間周波数リソースを指示することができる。
【０１８５】
本実施例では、異なる周波数範囲について、ＳＳ／ＰＢＣＨ  ｂｌｏｃｋ又は同期リソースセット（ＳＳ  ｂｕｒｓｔ  ｓｅｔ）の送信周期に対応するＳＳ／ＰＢＣＨ  ｂｌｏｃｋを送信するための時間周波数リソースの数の上限Ｌ、及び異なる上限での全ての可能なＳＳ／ＰＢＣＨ  ｂｌｏｃｋを送信するための時間周波数リソースの位置を予め定義してもよい。例えば、以下のようなものを含む。
【０１８６】
周波数が３ＧＨｚ未満、Ｌ＝４；
周波数が３ＧＨｚ〜６ＧＨｚ、Ｌ＝８；
周波数が６ＧＨｚ〜５２．６ＧＨｚ、Ｌ＝６４
上記の時間周波数リソースの上限と位置に基づいて、ネットワーク装置は、ＳＳ／ＰＢＣＨ  ｂｌｏｃｋの１つの周期におけるＳＳ／ＰＢＣＨ  ｂｌｏｃｋを送信するための実際の時間周波数リソースの数及び各時間周波数リソースの位置に構成されてもよい。
【０１８７】
本実施例では、ネットワーク装置は、第１指示情報及び／又は第２指示情報を送信することで、ＵＥがデータの送受信及び測定を容易に行うために、ＳＳ／ＰＢＣＨ  ｂｌｏｃｋを送信するために用いられる時間周波数リソースを指示することができる。
【０１８８】
本実施例では、該第１指示情報及び／又は該第２指示情報は、以下の何れかであってもよい。
【０１８９】
１．時間周波数リソースにおける各所定位置が同期信号／物理ブロードキャストチャネルブロックを送信するために用いられるか否かを示す情報
ここで、該時間周波数リソースにおける各所定位置が同期信号／物理ブロードキャストチャネルブロックを送信するために用いられるか否かを示す情報はビットであってもよい。該所定位置は、例えばネットワーク装置により予め構成されてもよく、ＳＳ／ＰＢＣＨ  ｂｌｏｃｋを送信するための時間周波数リソースの位置であってもよい。
【０１９０】
本実施例では、該第１指示情報及び／又は第２指示情報はビットマップ（ｂｉｔ−ｍａｐ）に基づいて指示されてもよい。例えば、各所定位置について、１つのｂｉｔにより、該位置の時間周波数リソースが実際にＳＳ／ＰＢＣＨ  ｂｌｏｃｋを送信するために用いられるか否かを指示してもよい。例えば、該ｂｉｔが１である場合、該所定位置のリソースが実際にＳＳ／ＰＢＣＨ  ｂｌｏｃｋを送信するために用いられることを指示し、該ｂｉｔが０である場合、該所定位置のリソースが実際にＳＳ／ＰＢＣＨ  ｂｌｏｃｋを送信するために用いられないことを指示する。
【０１９１】
２．時間周波数リソースにおける各所定位置のグループが同期信号／物理ブロードキャストチャネルブロックを送信するために用いられるか否かを示す情報
本実施例では、該第１指示情報及び／又は第２指示情報はグループのビットマップ（ｂｉｔ−ｍａｐ）に基づいて指示されてもよい。例えば、１つのスロット（ｓｌｏｔ）における所定数（例えば２つ）の所定位置を１つのグループとし、各グループについて、１つのｂｉｔにより、該グループの時間周波数リソースが実際にＳＳ／ＰＢＣＨ  ｂｌｏｃｋを送信するために用いられるか否かを指示してもよい。例えば、該ｂｉｔが１である場合、該グループのリソースのうち少なくとも１つのリソースが実際にＳＳ／ＰＢＣＨ  ｂｌｏｃｋを送信するために用いられることを指示し、該ｂｉｔが０である場合、該グループの全てのリソースが実際にＳＳ／ＰＢＣＨ  ｂｌｏｃｋを送信するために用いられないことを指示する。本実施例では、所定位置の数の上限が４である場合（各グループの所定位置の数が２である）、２ｂｉｔｓの情報を用いて、各グループにＳＳ／ＰＢＣＨ  ｂｌｏｃｋを実際に送信するためのリソースがあるか否かを指示してもよい。
【０１９２】
３．所定の送信パターン（ｐａｔｔｅｒｎ）に対応するインデックス（ｉｎｄｅｘ）
本実施例では、ＳＳ／ＰＢＣＨ  ｂｌｏｃｋを送信するための時間周波数リソースにより形成された送信パターン（ｐａｔｔｅｒｎ）を予め定義し、所定の送信パターンとインデックスとの対応関係を設定してもよい。これによって、第１指示情報及び／又は第２指示情報にインデックスが含まれる場合、ユーザ装置は、インデックスに基づいて送信パターンを決定し、ＳＳ／ＰＢＣＨ  ｂｌｏｃｋを実際に送信するための時間周波数リソースの数及び／又は位置を決定することができる。
【０１９３】
本実施例では、所定の送信パターンは、例えば１つのスロット（ｓｌｏｔ）における前の１つの可能なリソース位置のみを用いてＳＳ／ＰＢＣＨ  ｂｌｏｃｋを送信することであってもよい。
【０１９４】
４．時間周波数リソースにおける同期信号／物理ブロードキャストチャネルブロックを送信するための最後の位置、及び／若しくは前記時間周波数リソースにおける同期信号／物理ブロードキャストチャネルブロックを送信するための位置の総数
例えば、第１指示情報及び／又は第２指示情報は、ＳＳ／ＰＢＣＨ  ｂｌｏｃｋの１つの送信周期に対応するＳＳ／ＰＢＣＨ  ｂｌｏｃｋを送信するための時間周波数リソースの総数、及び／又は最後の１つの時間周波数リソースの位置を含んでもよい。この場合、ＳＳ／ＰＢＣＨ  ｂｌｏｃｋは、送信の総数又は時間周波数リソースの終点になるまで、所定の時間周波数リソースの最初の位置から連続的に送信される。
【０１９５】
５．時間周波数リソースにおける同期信号／物理ブロードキャストチャネルブロックを送信するための最初の位置、並びに同期信号／物理ブロードキャストチャネルブロックを送信するための最後の位置及び／若しくは前記時間周波数リソースにおける同期信号／物理ブロードキャストチャネルブロックを送信するための位置の総数
例えば、第１指示情報及び／又は第２指示情報は、ＳＳ／ＰＢＣＨ  ｂｌｏｃｋの１つの送信周期に対応するＳＳ／ＰＢＣＨ  ｂｌｏｃｋを送信するための時間周波数リソースの最初の位置、並びにＳＳ／ＰＢＣＨ  ｂｌｏｃｋを送信するための時間周波数リソースの最後の位置及び／又はＳＳ／ＰＢＣＨ  ｂｌｏｃｋを送信するための時間周波数リソースの総数を含んでもよい。
【０１９６】
本実施例では、図８に示すように、該方法は以下のステップをさらに含んでもよい。
【０１９７】
ステップ８０２：時間周波数リソースの各所定位置のグループを構成する。
【０１９８】
これによって、ユーザ装置は、該構成情報を受信することで、第１指示情報及び／又は第２指示情報に基づいて、ＳＳ／ＰＢＣＨ  ｂｌｏｃｋを送信するための時間周波数リソースのグループを決定することができる。
【０１９９】
本実施例では、図８に示すように、該方法は以下のステップをさらに含んでもよい。
【０２００】
ステップ８０３：該所定の送信パターンとインデックスとの対応関係を構成する。
【０２０１】
これによって、ユーザ装置は、該構成情報を受信することで、第１指示情報及び／又は第２指示情報に基づいて、ＳＳ／ＰＢＣＨ  ｂｌｏｃｋを送信するための送信パターンを決定することができる。
【０２０２】
本実施例では、ネットワーク装置は、システム情報（ＳＩ：Ｓｙｓｔｅｍ  Ｉｎｆｏｒｍａｔｉｏｎ）及び／又は無線リソース制御（ＲＲＣ：Ｒａｄｉｏ  Ｒｅｓｏｕｒｃｅ  Ｃｏｎｔｒｏｌ）シグナリングを介して該第１指示情報を送信してもよい。ここで、該システム情報は、例えば物理ブロードキャストチャネル（ＰＢＣＨ）、及び／又は残りの最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）、及び／又は他の情報を含んでもよい。
【０２０３】
本実施例では、ネットワーク装置は、測定構成情報、及び／又はリダイレクション構成情報、及び／又はハンドオーバコマンドを介して該第２指示情報を送信してもよい。
【０２０４】
本実施例では、ネットワーク装置は、ＳＳ／ＰＢＣＨ  ｂｌｏｃｋの１つの周期におけるＳＳ／ＰＢＣＨ  ｂｌｏｃｋを実際に送信するための時間周波数リソースの数及び各時間周波数リソースの位置に構成され、該構成の結果に基づいて第１指示情報を生成してもよい。
【０２０５】
本実施例では、隣接セルのネットワーク装置は、該隣接セルのネットワーク装置の構成結果に基づいて生成された第１指示情報を送信してもよい。現在のサービングセルのネットワーク装置は、該隣接セルのネットワーク装置により送信された第１指示情報を受信した場合、該第１指示情報を処理し、第２指示情報を生成してもよい。
【０２０６】
例えば、本実施例では、現在のサービングセルのネットワーク装置は、隣接セルにより送信された第１指示情報に基づいて、ＳＳ／ＰＢＣＨ  ｂｌｏｃｋを実際に送信するための時間周波数リソースを決定し、該決定された時間周波数リソースに基づいてＵＥの測定ウィンドウを決定し、該測定ウィンドウを用いて第２指示情報を生成してもよい。これによって、該第２指示情報は、各隣接セルの測定ウィンドウにおけるＳＳ／ＰＢＣＨ  ｂｌｏｃｋを伝送するための時間周波数リソースの構成状況のみを指示してもよい。ここで、該測定ウィンドウは、該隣接セルの全ての可能なＳＳ／ＰＢＣＨ  ｂｌｏｃｋを送信するための時間周波数リソースの位置をカバーできない可能性がある。
【０２０７】
本実施例では、ＵＥは、該第２指示情報に基づいて、隣接セルのＳＳ／ＰＢＣＨ  ｂｌｏｃｋを送信するための時間周波数リソースの構成状況を取得することができる。
【０２０８】
本実施例によれば、ＵＥは、データの送受信及び測定を容易に行うことができる。
【０２０９】
＜実施例８＞
本発明の実施例８は情報指示方法を提供し、該情報指示方法はユーザ装置側、例えばユーザ装置に適用される。
【０２１０】
図９は本実施例の情報指示方法のフローチャートである。図９に示すように、該情報指示方法は以下のステップを含んでもよい。
【０２１１】
ステップ９０１：現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を受信する。
【０２１２】
本実施例では、第１指示情報及び／又は第２指示情報を受信することで、ＵＥがデータの送受信及び測定を容易に行うために、ＳＳ／ＰＢＣＨ  ｂｌｏｃｋを送信するために用いられる時間周波数リソースを指示することができる。
【０２１３】
本実施例では、第１指示情報及び／又は第２指示情報についての説明は、実施例７を参照してもよい。
【０２１４】
本実施例では、図９に示すように、該方法は以下のステップをさらに含んでもよい。
【０２１５】
ステップ９０２：各所定位置の前記グループの構成情報を受信する。
【０２１６】
これによって、ユーザ装置は、該構成情報を受信することで、第１指示情報及び／又は第２指示情報に基づいて、ＳＳ／ＰＢＣＨ  ｂｌｏｃｋを送信するための時間周波数リソースのグループを決定することができる。
【０２１７】
本実施例では、図９に示すように、該方法は以下のステップをさらに含んでもよい。
【０２１８】
ステップ９０３：該所定の送信パターンとインデックスとの対応関係の構成情報を受信する。
【０２１９】
これによって、ユーザ装置は、該構成情報を受信することで、第１指示情報及び／又は第２指示情報に基づいて、ＳＳ／ＰＢＣＨ  ｂｌｏｃｋを送信するための送信パターンを決定することができる。
【０２２０】
本実施例では、ユーザ装置は、システム情報（ＳＩ：Ｓｙｓｔｅｍ  Ｉｎｆｏｒｍａｔｉｏｎ）及び／又は無線リソース制御（ＲＲＣ：Ｒａｄｉｏ  Ｒｅｓｏｕｒｃｅ  Ｃｏｎｔｒｏｌ）シグナリングを介して該第１指示情報を受信してもよい。
【０２２１】
本実施例では、ユーザ装置は、測定構成情報、及び／又はリダイレクション構成情報、及び／又はハンドオーバコマンドを介して該第２指示情報を受信してもよい。
【０２２２】
本実施例によれば、ＵＥは、データの送受信及び測定を容易に行うことができる。
【０２２３】
＜実施例９＞
本発明の実施例は、送信端に配置された情報指示装置を提供し、本実施例９は実施例７の情報指示方法に対応し、同様な内容についてその説明を省略する。
【０２２４】
図１０本発明の実施例の情報指示装置を示す図である。図１０に示すように、情報指示装置１０００は、第１送信部１００１を含む。
【０２２５】
第１送信部１００１は、現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を送信する。
【０２２６】
本実施例では、第１送信部１００１は、システム情報（ＳＩ：Ｓｙｓｔｅｍ  Ｉｎｆｏｒｍａｔｉｏｎ）及び／又は無線リソース制御（ＲＲＣ：Ｒａｄｉｏ  Ｒｅｓｏｕｒｃｅ  Ｃｏｎｔｒｏｌ）シグナリングを介して該第１指示情報を送信してもよい。
【０２２７】
本実施例では、第１送信部１００１は、測定構成情報、及び／又はリダイレクション構成情報、及び／又はハンドオーバコマンドを介して該第２指示情報を送信してもよい。
【０２２８】
本実施例では、第１指示情報及び／又は第２指示情報についての説明は実施例７を参照してもよい。
【０２２９】
本実施例では、図１０に示すように、情報指示装置１０００は、各所定位置のグループを構成する第１構成部１００２をさらに含んでもよい。
【０２３０】
本実施例では、図１０に示すように、情報指示装置１０００は、該所定の送信パターンとインデックスとの対応関係を構成する第２構成部１００３をさらに含んでもよい。
【０２３１】
本実施例では、ネットワーク装置は、ＳＳ／ＰＢＣＨ  ｂｌｏｃｋの１つの周期におけるＳＳ／ＰＢＣＨ  ｂｌｏｃｋを実際に送信するための時間周波数リソースの数及び各時間周波数リソースの位置に構成され、該構成の結果に基づいて第１指示情報を生成してもよい。
【０２３２】
本実施例では、隣接セルのネットワーク装置は、該隣接セルのネットワーク装置の構成結果に基づいて生成された第１指示情報を送信してもよい。現在のセルのネットワーク装置の情報指示装置１０００は、該隣接セルのネットワーク装置により送信された第１指示情報を受信した場合、該第１指示情報を処理し、第２指示情報を生成してもよい。このため、本発明の情報指示装置１０００は、指示情報生成部（図示せず）をさらに有してもよい。指示情報生成部による第２指示情報の生成方法について、実施例７における説明を参照してもよい。
【０２３３】
ＵＥは、該第２指示情報に基づいて、隣接セルのＳＳ／ＰＢＣＨ  ｂｌｏｃｋを送信するための時間周波数リソースの構成状況を取得することができる。
【０２３４】
本実施例によれば、ＵＥは、データの送受信及び測定を容易に行うことができる。
【０２３５】
＜実施例１０＞
本発明の実施例は、受信端に配置された情報指示装置を提供する。本実施例は実施例８の情報指示方法に対応し、同様な内容についてその説明を省略する。
【０２３６】
図１１は本発明の実施例の情報指示装置を示す図である。図１１に示すように、該情報指示装置１１００は、第１受信部１１０１を含んでもよい。
【０２３７】
第１受信部１１０１は、現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を受信する。
【０２３８】
本実施例では、第１受信部１１０１は、システム情報（ＳＩ：Ｓｙｓｔｅｍ  Ｉｎｆｏｒｍａｔｉｏｎ）及び／又は無線リソース制御（ＲＲＣ：Ｒａｄｉｏ  Ｒｅｓｏｕｒｃｅ  Ｃｏｎｔｒｏｌ）シグナリングを介して該第１指示情報を受信してもよい。
【０２３９】
本実施例では、第１受信部１１０１は、測定構成情報、及び／又はリダイレクション構成情報、及び／又はハンドオーバコマンドを介して該第２指示情報を受信してもよい。
【０２４０】
本実施例では、図１１に示すように、情報指示装置１１００は、各所定位置の前記グループの構成情報を受信する第２受信部１１０２をさらに含んでもよい。
【０２４１】
本実施例では、図１１に示すように、情報指示装置１１００は、該所定の送信パターンとインデックスとの対応関係の構成情報を受信する第３受信部１１０３をさらに含んでもよい。
【０２４２】
本実施例によれば、ＵＥは、データの送受信及び測定を容易に行うことができる。
【０２４３】
＜実施例１１＞
本発明の実施例は、通信システムをさらに提供し、実施例７〜１０と同様な内容についてその説明を省略する。
【０２４４】
本実施例では、通信システムは、実施例９に記載された情報指示装置１０００が配置された送信端と、実施例１０に記載された情報指示装置１１００が配置された受信端と、を含んでもよい。
【０２４５】
図１２は、本発明の実施例の通信システムを示す図であり、ユーザ装置を送信端とし、基地局を受信端とする場合を示している。図１２に示すように、通信システム１２００は、基地局１２０１及びユーザ装置１２０２を含んでもよい。ここで、基地局１２０１には例えば実施例９に記載された情報指示装置１０００が配置され、ユーザ装置１２０２には例えば実施例１０に記載された情報指示装置１１００が配置されている。
【０２４６】
本発明の実施例は受信端をさらに提供し、該受信端は例えば基地局であってもよいが、本発明はこれに限定されず、他のネットワーク装置であってもよい。以下は基地局を一例にして説明する。
【０２４７】
図１３は本発明の実施例の基地局を示す図である。図１３に示すように、基地局１３００は、中央処理装置（ＣＰＵ）２００及びメモリ２１０を含んでもよく、メモリ２１０は中央処理装置２００に接続される。メモリ２１０は、各種のデータを記憶してもよいし、情報処理のプログラムをさらに記憶し、中央処理装置２００の制御で該プログラムを実行してもよい。
【０２４８】
ここで、中央処理装置２００は、情報指示装置１０００の機能を実現するように構成されてもよい。
【０２４９】
例えば、中央処理装置２００は、基地局が実施例７に記載された情報指示方法を実行するように、制御を行うことができるように構成されてもよい。
【０２５０】
また、図１３に示すように、基地局１３００は、送受信機２２０及びアンテナ２３０などをさらに含んでもよい。上記部材の機能は従来技術と類似し、ここでその説明を省略する。なお、基地局１３００は図１３に示す全てのユニットを含む必要がない。また、基地局１３００は、図１３に示されていないユニットをさらに含んでもよく、従来技術を参照してもよい。
【０２５１】
本発明の実施例は送信端をさらに提供し、該送信端は例えばユーザ装置であってもよいが、本発明はこれに限定されず、他のネットワーク装置であってもよい。以下はユーザ装置を一例にして説明する。
【０２５２】
図１４は本発明の実施例のユーザ装置を示す図である。図１４に示すように、ユーザ装置１４００は、中央処理装置１００及びメモリ１４０を含んでもよく、メモリ１４０は中央処理装置１００に接続される。なお、該図は単なる例示的なものであり、電気通信機能又は他の機能を実現するように、他の種類の構成を用いて、該構成を補充又は代替してもよい。
【０２５３】
ここで、中央処理装置１００は、情報指示装置１１００の機能を実現するように構成されてもよい。
【０２５４】
例えば、中央処理装置１００は、ユーザ装置が実施例８に記載された情報指示方法を実行するように、制御を行うことができるように構成されてもよい。
【０２５５】
図１４に示すように、ユーザ装置１４００は、通信モジュール１１０、入力部１２０、ディスプレイ１６０、及び電源１７０をさらに含んでもよい。上記部材の機能は従来技術と類似し、ここでその説明を省略する。なお、ユーザ装置１４００は図１４に示す全てのユニットを含む必要がない。また、ユーザ装置１４００は、図１４に示されていないユニットをさらに含んでもよく、従来技術を参照してもよい。
【０２５６】
本発明の実施例は、ランダムアクセスの電力制御装置又はユーザ装置においてプログラムを実行する際に、該ランダムアクセスの電力制御装置又はユーザ装置に、実施例１、２に記載のランダムアクセスの電力制御方法を実行させる、コンピュータ読み取り可能なプログラムをさらに提供する。
【０２５７】
本発明の実施例は、ランダムアクセスの電力制御装置又はユーザ装置に、実施例１、２に記載のランダムアクセスの電力制御方法を実行させるためのコンピュータ読み取り可能なプログラムを記憶する、記憶媒体をさらに提供する。
【０２５８】
本発明の実施例は、情報装置又はネットワーク装置においてプログラムを実行する際に、該情報装置又はネットワーク装置に、実施例７に記載の情報指示方法を実行させる、コンピュータ読み取り可能なプログラムをさらに提供する。
【０２５９】
本発明の実施例は、情報装置又はネットワーク装置に、実施例７に記載の情報指示方法を実行させるためのコンピュータ読み取り可能なプログラムを記憶する、記憶媒体をさらに提供する。
【０２６０】
本発明の実施例は、情報装置又はユーザ装置においてプログラムを実行する際に、該情報装置又はユーザ装置に、実施例８に記載の情報指示方法を実行させる、コンピュータ読み取り可能なプログラムをさらに提供する。
【０２６１】
本発明の実施例は、情報装置又はユーザ装置に、実施例８に記載の情報指示方法を実行させるためのコンピュータ読み取り可能なプログラムを記憶する、記憶媒体をさらに提供する。
【０２６２】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０２６３】
本発明の実施例を参照しながら説明したランダムアクセス装置におけるランダムアクセス方法は、ハードウェア、プロセッサにより実行されるソフトウェアモジュール、又は両者の組み合わせで実施されてもよい。例えば、図４、図５、図１０、図１１に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図１、図３、図８、図９に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０２６４】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０２６５】
図４、図５、図１０、図１１に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図４、図５、図１０、図１１に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０２６６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０２６７】
また、上述の実施例を含む実施形態に関し、更に以下の付記を開示する。
（付記１）
情報指示装置であって、
現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を送信する第１送信手段、を含む、装置。
（付記２）
第１送信手段は、システム情報（ＳＩ：Ｓｙｓｔｅｍ  Ｉｎｆｏｒｍａｔｉｏｎ）及び／又は無線リソース制御（ＲＲＣ：Ｒａｄｉｏ  Ｒｅｓｏｕｒｃｅ  Ｃｏｎｔｒｏｌ）シグナリングを介して前記第１指示情報を送信する、付記１に記載の装置。
（付記３）
前記第１指示手段は、測定構成情報、及び／又はリダイレクション構成情報、及び／又はハンドオーバコマンドを介して前記第２指示情報を送信する、付記１に記載の装置。
（付記４）
前記第１指示情報及び／又は前記第２指示情報は、
時間周波数リソースにおける各所定位置が同期信号／物理ブロードキャストチャネルブロックを送信するために用いられるか否かを示す情報、又は
時間周波数リソースにおける各所定位置のグループが同期信号／物理ブロードキャストチャネルブロックを送信するために用いられるか否かを示す情報、又は
所定の送信パターン（ｐａｔｔｅｒｎ）に対応するインデックス（ｉｎｄｅｘ）、又は
時間周波数リソースにおける同期信号／物理ブロードキャストチャネルブロックを送信するための最後の位置、及び／若しくは前記時間周波数リソースにおける同期信号／物理ブロードキャストチャネルブロックを送信するための位置の総数、又は
時間周波数リソースにおける同期信号／物理ブロードキャストチャネルブロックを送信するための最初の位置、並びに同期信号／物理ブロードキャストチャネルブロックを送信するための最後の位置及び／若しくは前記時間周波数リソースにおける同期信号／物理ブロードキャストチャネルブロックを送信するための位置の総数を含む、付記１に記載の装置。
（付記５）
各所定位置の前記グループを構成する第１構成手段、をさらに含む、付記４に記載の装置。
（付記６）
前記所定の送信パターンとインデックスとの対応関係を構成する第２構成手段、をさらに含む、付記４に記載の装置。
（付記７）
情報指示装置であって、
現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を受信する第１受信手段、を含む、装置。
（付記８）
第１受信手段は、システム情報（ＳＩ：Ｓｙｓｔｅｍ  Ｉｎｆｏｒｍａｔｉｏｎ）及び／又は無線リソース制御（ＲＲＣ：Ｒａｄｉｏ  Ｒｅｓｏｕｒｃｅ  Ｃｏｎｔｒｏｌ）シグナリングを介して前記第１指示情報を受信する、付記７に記載の装置。
（付記９）
前記第１受信手段は、測定構成情報、及び／又はリダイレクション構成情報、及び／又はハンドオーバコマンドを介して前記第２指示情報を受信する、付記７に記載の装置。
（付記１０）
前記第１指示情報及び／又は前記第２指示情報は、
時間周波数リソースにおける各所定位置が同期信号／物理ブロードキャストチャネルブロックを送信するために用いられるか否かを示す情報、又は
時間周波数リソースにおける各所定位置のグループが同期信号／物理ブロードキャストチャネルブロックを送信するために用いられるか否かを示す情報、又は
所定の送信パターン（ｐａｔｔｅｒｎ）に対応するインデックス（ｉｎｄｅｘ）、又は
時間周波数リソースにおける同期信号／物理ブロードキャストチャネルブロックを送信するための最後の位置、及び／若しくは前記時間周波数リソースにおける同期信号／物理ブロードキャストチャネルブロックを送信するための位置の総数、又は
時間周波数リソースにおける同期信号／物理ブロードキャストチャネルブロックを送信するための最初の位置、並びに同期信号／物理ブロードキャストチャネルブロックを送信するための最後の位置及び／若しくは前記時間周波数リソースにおける同期信号／物理ブロードキャストチャネルブロックを送信するための位置の総数を含む、付記７に記載の装置。
（付記１１）
各所定位置の前記グループの構成情報を受信する第２受信手段、をさらに含む、付記１０に記載の装置。
（付記１２）
前記所定の送信パターンとインデックスとの対応関係の構成情報を受信する第３受信手段、をさらに含む、付記１０に記載の装置。
（付記１２）
請求項１に記載の情報指示装置が配置された送信端と、
請求項７に記載の情報指示装置が配置された受信端と、を含む、通信システム。
（付記１３）
ネットワーク側に適用される情報指示方法であって、
現在のセルの同期信号／物理ブロードキャストチャネルブロック（ＳＳ／ＰＢＣＨ  ｂｌｏｃｋ）を送信する時間周波数リソースの位置及び／若しくは数を示すための第１指示情報、並びに／又は隣接セルの同期信号／物理ブロードキャストチャネルブロック（ＳＳ／ＰＢＣＨ  ｂｌｏｃｋ）を送信する時間周波数リソースの位置及び／若しくは数を示すための第２指示情報を送信するステップ、を含む、方法。
【図１】
0006988994.tif 000008
【図２】
0006988994.tif 000009
【図３】
0006988994.tif 000010
【図４】
0006988994.tif 000011
【図５】
0006988994.tif 000012
【図６】
0006988994.tif 000013
【図７Ａ】
0006988994.tif 000014
【図７Ｂ】
0006988994.tif 000015
【図８】
0006988994.tif 000016
【図９】
0006988994.tif 000017
【図１０】
0006988994.tif 000018
【図１１】
0006988994.tif 000019
【図１２】
0006988994.tif 000020
【図１３】
0006988994.tif 000021
【図１４】
0006988994.tif 000022